(57)【特許請求の範囲】
【請求項１】
第１カラーガマットベースのコンテンツデータを第２カラーガマットベースのコンテンツデータにリサンプリングするステップと、
前記リサンプリングに関する情報を示すカラーガマットリサンプリング情報を含むシグナリング情報を生成するステップと、
前記生成されたシグナリング情報及び前記第２カラーガマットベースのコンテンツデータをそれぞれエンコードするステップと、
前記エンコードされたコンテンツデータ及び前記エンコードされたシグナリング情報を送信するステップと、
を有し、
前記カラーガマットリサンプリング情報は、少なくとも、前記第１カラーガマットに関する情報と、前記第２カラーガマットに関する情報を含み、
前記第１カラーガマットに関する情報は、前記第１カラーガマットのタイプを示す情報、及び前記第１カラーガマットが既存に定義されたカラーガマットでない場合、前記第１カラーガマットを定義するための基準色相の色空間上の座標情報を含み、
前記第２カラーガマットに関する情報は、前記第２カラーガマットのタイプを示す情報、及び前記第２カラーガマットが既存に定義されたカラーガマットでない場合、前記第２カラーガマットを定義するための基準色相の色空間上の座標情報を含む、放送信号送信方法。
【請求項２】
前記カラーガマットリサンプリング情報は、前記リサンプリングの方式を示すカラーガマットリサンプリングタイプ情報、及び前記カラーガマットリサンプリングタイプ情報によるカラーガマットリサンプリングタイプの詳細情報を含む、請求項１に記載の放送信号送信方法。
【請求項３】
前記カラーガマットリサンプリングタイプ情報によるリサンプリング方式が、第１カラーガマットベースのコンテンツデータを、カラーガマットの影響を受けない中立的な色空間上の値に変換し、前記変換された中立的な色空間上の値を第２カラーガマットベースのコンテンツデータに変換する方式である場合、前記カラーガマットリサンプリングタイプの詳細情報は、前記中立的な色空間のタイプを示す情報、前記第１カラーガマットベースのコンテンツデータを前記中立的な色空間上の値に変換するために用いる変換式の係数情報、及び前記変換された中立的な色空間上の値を第２カラーガマットベースのコンテンツデータに変換するために用いる変換式の係数情報を含む、請求項２に記載の放送信号送信方法。
【請求項４】
前記カラーガマットリサンプリングタイプ情報によるリサンプリング方式が、第１カラーガマットベースのコンテンツデータを第２カラーガマットベースのコンテンツデータに直接変換する方式である場合、前記カラーガマットリサンプリングタイプの詳細情報は、前記第１カラーガマットベースのコンテンツデータを前記第２カラーガマットベースのコンテンツデータに変換するために用いる変換式の係数情報を含み、
前記カラーガマットリサンプリングタイプ情報によるリサンプリング方式が、第１カラーガマットベースのコンテンツデータ及び第２カラーガマットベースのコンテンツデータのマッピング情報を示すルックアップテーブル（ｌｏｏｋ  ｕｐ  ｔａｂｌｅ）を利用する方式である場合、前記カラーガマットリサンプリングタイプの詳細情報は、前記ルックアップテーブルのタイプ情報及び前記ルックアップテーブルの構成要素情報を含む、請求項２に記載の放送信号送信方法。
【請求項５】
前記シグナリング情報は、ＰＭＴ（Ｐｒｏｇｒａｍ  Ｍａｐ  Ｔａｂｌｅ）、ＥＩＴ（Ｅｖｅｎｔ  Ｉｎｆｏｒｍａｔｉｏｎ  Ｔａｂｌｅ）、ＶＵＩメッセージ（Ｖｉｄｅｏ  Ｕｓｕａｂｉｌｉｔｙ  Ｉｎｆｏｒｍａｔｉｏｎ  ｍｅｓｓａｇｅ）、及びＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）を含み、
前記ＰＭＴ及びＥＩＴのうち少なくとも一つは、前記放送信号に含まれた放送サービスがカラーガマットリサンプリングベースの放送サービスであることを識別する情報を含む、請求項１に記載の放送信号送信方法。
【請求項６】
前記カラーガマットリサンプリング情報は、ＰＭＴ、ＥＩＴ、ＶＵＩメッセージ及びＳＥＩメッセージのうち少なくとも一つに含まれる、請求項５に記載の放送信号送信方法。
【請求項７】
第１カラーガマットベースのコンテンツデータ、及び前記第１カラーガマットベースのコンテンツデータに対するカラーガマットリサンプリング情報を含むシグナリング情報を受信するステップと、
前記受信されたシグナリング情報及び第１カラーガマットベースのコンテンツデータをそれぞれデコードするステップと、
前記デコードされたシグナリング情報に基づいて、前記デコードされた第１カラーガマットベースのコンテンツデータを第２カラーガマットベースのコンテンツデータにリサンプリングして前記第２カラーガマットベースのディスプレイで出力したり、又は前記デコードされた第１カラーガマットベースのコンテンツデータを前記第１カラーガマットベースのディスプレイで出力するステップと、
を有し、
前記カラーガマットリサンプリング情報は、少なくとも、前記第１カラーガマットに関する情報と、前記第２カラーガマットに関する情報を含み、
前記第１カラーガマットに関する情報は、前記第１カラーガマットのタイプを示す情報、及び前記第１カラーガマットが既存に定義されたカラーガマットでない場合、前記第１カラーガマットを定義するための基準色相の色空間上の座標情報を含み、
前記第２カラーガマットに関する情報は、前記第２カラーガマットのタイプを示す情報、及び前記第２カラーガマットが既存に定義されたカラーガマットでない場合、前記第２カラーガマットを定義するための基準色相の色空間上の座標情報を含む、放送信号受信方法。
【請求項８】
前記カラーガマットリサンプリング情報は、前記リサンプリングの方式を示すカラーガマットリサンプリングタイプ情報、及び前記カラーガマットリサンプリングタイプ情報によるカラーガマットリサンプリングタイプの詳細情報を含む、請求項７に記載の放送信号受信方法。
【請求項９】
前記カラーガマットリサンプリングタイプ情報によるリサンプリング方式が、第１カラーガマットベースのコンテンツデータを、カラーガマットの影響を受けない中立的な色空間上の値に変換し、前記変換された中立的な色空間上の値を第２カラーガマットベースのコンテンツデータに変換する方式である場合、前記カラーガマットリサンプリングタイプの詳細情報は、前記中立的な色空間のタイプを示す情報、前記第１カラーガマットベースのコンテンツデータを前記中立的な色空間上の値に変換するために用いる変換式の係数情報、及び前記変換された中立的な色空間上の値を第２カラーガマットベースのコンテンツデータに変換するために用いる変換式の係数情報を含む、請求項８に記載の放送信号受信方法。
【請求項１０】
前記カラーガマットリサンプリングタイプ情報によるリサンプリング方式が、第１カラーガマットベースのコンテンツデータを第２カラーガマットベースのコンテンツデータに直接変換する方式である場合、前記カラーガマットリサンプリングタイプの詳細情報は、前記第１カラーガマットベースのコンテンツデータを前記第２カラーガマットベースのコンテンツデータに変換するために用いる変換式の係数情報を含み、
前記カラーガマットリサンプリングタイプ情報によるリサンプリング方式が、第１カラーガマットベースのコンテンツデータ及び第２カラーガマットベースのコンテンツデータのマッピング情報を示すルックアップテーブル（ｌｏｏｋ  ｕｐ  ｔａｂｌｅ）を利用する方式である場合、前記カラーガマットリサンプリングタイプの詳細情報は、前記ルックアップテーブルのタイプ情報及び前記ルックアップテーブルの構成要素情報を含む、請求項８に記載の放送信号受信方法。
【請求項１１】
前記シグナリング情報は、ＰＭＴ（Ｐｒｏｇｒａｍ  Ｍａｐ  Ｔａｂｌｅ）、ＥＩＴ（Ｅｖｅｎｔ  Ｉｎｆｏｒｍａｔｉｏｎ  Ｔａｂｌｅ）、ＶＵＩメッセージ（Ｖｉｄｅｏ  Ｕｓｕａｂｉｌｉｔｙ  Ｉｎｆｏｒｍａｔｉｏｎ  ｍｅｓｓａｇｅ）、及びＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）を含み、
前記ＰＭＴ及びＥＩＴのうち少なくとも一つは、前記放送信号に含まれた放送サービスがカラーガマットリサンプリングベースの放送サービスであることを識別する情報を含む、請求項７に記載の放送信号受信方法。
【請求項１２】
前記カラーガマットリサンプリング情報は、ＰＭＴ、ＥＩＴ、ＶＵＩメッセージ及びＳＥＩメッセージのうち少なくとも一つに含まれる、請求項１１に記載の放送信号受信方法。
【請求項１３】
第１カラーガマットベースのコンテンツデータを第２カラーガマットベースのコンテンツデータにリサンプリングするカラーガマットリサンプリング部と、
前記リサンプリングに関する情報を示すカラーガマットリサンプリング情報を含むシグナリング情報を生成するシグナリング情報生成部と、
前記生成されたシグナリング情報及び前記第２カラーガマットベースのコンテンツデータをそれぞれエンコードするエンコーダと、
前記エンコードされたコンテンツデータ及び前記エンコードされたシグナリング情報を送信する伝送部と、
を備え、
前記カラーガマットリサンプリング情報は、少なくとも、前記第１カラーガマットに関する情報と、前記第２カラーガマットに関する情報を含み、
前記第１カラーガマットに関する情報は、前記第１カラーガマットのタイプを示す情報、及び前記第１カラーガマットが既存に定義されたカラーガマットでない場合、前記第１カラーガマットを定義するための基準色相の色空間上の座標情報を含み、
前記第２カラーガマットに関する情報は、前記第２カラーガマットのタイプを示す情報、及び前記第２カラーガマットが既存に定義されたカラーガマットでない場合、前記第２カラーガマットを定義するための基準色相の色空間上の座標情報を含む、放送信号送信装置。
【請求項１４】
第１カラーガマットベースのコンテンツデータ、及び前記第１カラーガマットベースのコンテンツデータに対するカラーガマットリサンプリング情報を含むシグナリング情報を受信する受信部と、
前記受信されたシグナリング情報及び第１カラーガマットベースのコンテンツデータをそれぞれデコードするデコーダと、
前記デコードされたシグナリング情報に基づいて、前記デコードされた第１カラーガマットベースのコンテンツデータを第２カラーガマットベースのコンテンツデータにリサンプリングして前記第２カラーガマットベースのディスプレイで出力したり、又は前記デコードされた第１カラーガマットベースのコンテンツデータを前記第１カラーガマットベースのディスプレイで出力する出力部と、
を備え、
前記カラーガマットリサンプリング情報は、少なくとも、前記第１カラーガマットに関する情報と、前記第２カラーガマットに関する情報を含み、
前記第１カラーガマットに関する情報は、前記第１カラーガマットのタイプを示す情報、及び前記第１カラーガマットが既存に定義されたカラーガマットでない場合、前記第１カラーガマットを定義するための基準色相の色空間上の座標情報を含み、
前記第２カラーガマットに関する情報は、前記第２カラーガマットのタイプを示す情報、及び前記第２カラーガマットが既存に定義されたカラーガマットでない場合、前記第２カラーガマットを定義するための基準色相の色空間上の座標情報を含む、放送信号受信装置。
【発明の詳細な説明】
【技術分野】
【０００１】
本発明は、放送信号の送受信に関する。より詳しくは、カラーガマットリサンプリングに基づく放送信号の送受信方法及び／又は装置に関する。
【背景技術】
【０００２】
デジタル技術及び通信技術の発展により、放送、映画だけでなく、インターネット及び個人メディアなどの様々な領域でオーディオ及びビデオ中心のマルチメディアコンテンツの普及及び需要が急速に拡大している。しかも、放送及び映画で立体感を提供する３ＤＴＶ／３Ｄ映画が普遍化するにつれて、事実感や現場感を提供する実感メディアへの消費者のニーズも増加している。また、ディスプレイ技術の発展と共に家庭のＴＶ画面が大型化するにつれて、ＨＤ級以上の高画質で実感のあるコンテンツを楽しもうとする消費も増加している。このようなＰｏｓｔ−ＨＤＴＶ市場に備えて、３ＤＴＶと共に、ＵＨＤＴＶ（Ｕｌｔｒａ  Ｈｉｇｈ  Ｄｅｆｉｎｉｔｉｏｎ  ＴＶ）のような実感放送が次世代放送サービスとして関心を受けており、特に、ＵＨＤ（Ｕｌｔｒａ  Ｈｉｇｈ  Ｄｅｆｉｎｉｔｉｏｎ）放送サービスに関して多く議論されている。
【０００３】
ＵＨＤディスプレイ及び送受信機の発展に伴ってＵＨＤサービスの導入が様々な分野で試みられている。ＵＨＤ放送では、既存のコンテンツでは表現できなかった色相及び／又は明るさを表現することによって、既存の放送との差別化を図り、高度の現場感を提供することができる。しかし、幅広い色範囲（Ｗｉｄｅ  Ｃｏｌｏｒ  Ｇａｍｕｔ；ＷＣＧ）及び／又は幅広い明るさ（Ｈｉｇｈ  Ｄｙｎａｍｉｃ  Ｒａｎｇｅ；ＨＤＲ）の映像に対する研究は未だ進行中であり、幅広い色範囲及び／又は幅広い明るさをディスプレイできるディスプレイ装置の開発も未だ進行中である。
【０００４】
ＵＨＤ放送は、既存のＨＤ放送に比べて様々な側面で視聴者に豊富な色相、向上した画質及び没入感を提供することを目指している。そのために、既存のＴＶに比べて広い色域を定めるなど、ＵＨＤ放送関連標準が制定されている。ＵＨＤコンテンツはＨＶＳ（Ｈｕｍａｎ  Ｖｉｓｕａｌ  Ｓｙｓｔｅｍ）で直接取得する色感に最も近い情報を提供することによって、向上した画質及び躍動感を提供することができる。現在の放送システムでも最適の色感を提供するために、コンテンツ伝送の前に色感向上のための様々な後処理手順を行っているが、事実には、視聴者のディスプレイ環境とコンテンツ製作者の作業環境の違いによって色感が完壁に表現されない現状である。ＵＨＤ放送では、既存ＨＤ放送との差別化された放送サービスを提供するために、様々な側面で視聴者にリアルなコンテンツを提供するための議論が行われている。その中でも、コンテンツの明るさの表現範囲を人の視覚体系に近接させるための考慮として、ＨＤＲ（Ｈｉｇｈ  Ｄｙｎａｍｉｃ  Ｒａｎｇｅ）の必要性が提起されている。
【０００５】
ＷＣＧを有する映像フォーマット標準が制定されたのは最近であり、ＷＣＧに基づく映像取得装置及びディスプレイ装置の普及には時間がかかると予想される。このため、ＵＨＤサービス伝送標準は将来互換性を考慮して制定されるだろう。このとき、既存のカラーガマットを有するビデオをＷＣＧ伝送フォーマットを用いてサービスする場合が発生しうるが、この場合、受信端にとっては適切な処理によって、ディスプレイ環境を考慮した高品質のサービスを提供するための方法が必要である。
【０００６】
既存のアナログ放送をはじめとするＳＤＴＶ、ＨＤＴＶでは、ビデオサービス技術の発展に伴って標準色範囲（ｓｔａｎｄａｒｄ  ｃｏｌｏｒ  ｇａｍｕｔ）を制定し、これに基づいて映像の取得から後処理、伝送及びディスプレイに至るまで一様のカラーガマットを使用してきた。すなわち、目標とするサービスに対してマッチされるカラーガマットが存在したため、プロダクション及び／又は伝送端ではそれに基づいて後処理して伝送すればよく、各段階でカラーガマットの差異については考慮しなくて済んだ。しかし、ＵＨＤでは様々なカラーガマットが考慮されている。例えば、現在ＨＤＴＶで使用中のＲＥＣ．７０９、ＵＨＤＴＶ標準で制定されたＢＴ．２０２０、ＨＤＴＶとＵＨＤＴＶとの中間範囲を含むＤＣＩ−Ｐ３、ｘｖＹＣＣなどがある。現在使われている映像取得装置ではＲＥＣ．７０９ベースのカラーガマットだけを支援しており、ディスプレイでも同様に、ＲＥＣ．７０９ベースの映像だけを支援している。このように、映像取得及び出力装置の両方にＢＴ．２０２０が導入されるには時間がかかりそうであり、この場合、将来互換性の問題を考慮して、単一放送サービスでも両方の場合を全て支援できるサービスを開発する必要が高まりつつある。
【発明の概要】
【発明が解決しようとする課題】
【０００７】
本発明が遂げようとする課題は、前述した問題点を解決するために、カラーガマットリサンプリングに基づく放送信号の送受信方法及び／又は装置を提供することである。
【０００８】
なお、本発明が遂げようとする課題は、本来のコンテンツのカラーガマットとコンテンツが含まれて伝送されるコンテナのカラーガマットとが一致しない場合に発生する、受信端におけるディスプレイ劣化を減らす方法を提供することである。
【０００９】
なお、本発明が遂げようとする課題は、コンテンツのカラーガマットとコンテナのカラーガマットをそれぞれ区分してシグナルする方法を提供することである。
【００１０】
なお、本発明が遂げようとする課題は、コンテンツのカラーガマットとコンテナのカラーガマットとが異なる場合に、カラーガマットのリサンプリングのためのシグナリング情報を提供することである。
【００１１】
なお、本発明が遂げようとする課題は、受信機のディスプレイ性能によってカラーガマットのリサンプリングを行うか否かを決定し、受信機のディスプレイ性能に適したコンテンツを提供することである。
【課題を解決するための手段】
【００１２】
本発明の一実施例に係る放送信号送信方法は、第１カラーガマットベースのコンテンツデータを第２カラーガマットベースのコンテンツデータにリサンプリングするステップと、前記リサンプリングに関する情報を示すカラーガマットリサンプリング情報を含むシグナリング情報を生成するステップと、前記生成されたシグナリング情報及び前記第２カラーガマットベースのコンテンツデータをそれぞれエンコードするステップと、前記エンコードされたコンテンツデータ及び前記エンコードされたシグナリング情報を送信するステップとを有することができる。
【００１３】
好適には、前記カラーガマットリサンプリング情報は、前記第１カラーガマットに関する情報、前記第２カラーガマットに関する情報、前記リサンプリングの方式を示すカラーガマットリサンプリングタイプ情報、及び前記カラーガマットリサンプリングタイプ情報によるカラーガマットリサンプリングタイプの詳細情報を含むことができる。
【００１４】
好適には、前記第１カラーガマットに関する情報は、前記第１カラーガマットのタイプを示す情報、及び前記第１カラーガマットが既存に定義されたカラーガマットでない場合、前記第１カラーガマットを定義するための基準色相の色空間上の座標情報を含み、前記第２カラーガマットに関する情報は、前記第２カラーガマットのタイプを示す情報、及び前記第２カラーガマットが既存に定義されたカラーガマットでない場合、前記第２カラーガマットを定義するための基準色相の色空間上の座標情報を含むことができる。
【００１５】
好適には、前記カラーガマットリサンプリングタイプ情報によるリサンプリング方式が、第１カラーガマットベースのコンテンツデータを、カラーガマットの影響を受けない中立的な色空間上の値に変換し、前記変換された中立的な色空間上の値を第２カラーガマットベースのコンテンツデータに変換する方式である場合、前記カラーガマットリサンプリングタイプの詳細情報は、前記中立的な色空間のタイプを示す情報、前記第１カラーガマットベースのコンテンツデータを前記中立的な色空間上の値に変換するために用いる変換式の係数情報、及び前記変換された中立的な色空間上の値を第２カラーガマットベースのコンテンツデータに変換するために用いる変換式の係数情報を含むことができる。
【００１６】
好適には、前記カラーガマットリサンプリングタイプ情報によるリサンプリング方式が、第１カラーガマットベースのコンテンツデータを第２カラーガマットベースのコンテンツデータに直接変換する方式である場合、前記カラーガマットリサンプリングタイプの詳細情報は、前記第１カラーガマットベースのコンテンツデータを前記第２カラーガマットベースのコンテンツデータに変換するために用いる変換式の係数情報を含み、前記カラーガマットリサンプリングタイプ情報によるリサンプリング方式が、第１カラーガマットベースのコンテンツデータ及び第２カラーガマットベースのコンテンツデータのマッピング情報を示すルックアップテーブル（ｌｏｏｋ  ｕｐ  ｔａｂｌｅ）を利用する方式である場合、前記カラーガマットリサンプリングタイプの詳細情報は、前記ルックアップテーブルのタイプ情報及び前記ルックアップテーブルの構成要素情報を含むことができる。
【００１７】
好適には、前記シグナリング情報は、ＰＭＴ（Ｐｒｏｇｒａｍ  Ｍａｐ  Ｔａｂｌｅ）、ＥＩＴ（Ｅｖｅｎｔ  Ｉｎｆｏｒｍａｔｉｏｎ  Ｔａｂｌｅ）、ＶＵＩメッセージ（Ｖｉｄｅｏ  Ｕｓｕａｂｉｌｉｔｙ  Ｉｎｆｏｒｍａｔｉｏｎ  ｍｅｓｓａｇｅ）、及びＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）を含み、前記ＰＭＴ及びＥＩＴのうち少なくとも一つは、前記放送信号に含まれた放送サービスがカラーガマットリサンプリングベースの放送サービスであることを識別する情報を含むことができる。
【００１８】
好適には、前記カラーガマットリサンプリング情報は、ＰＭＴ、ＥＩＴ、ＶＵＩメッセージ及びＳＥＩメッセージのうち少なくとも一つに含まれてもよい。
【００１９】
本発明の他の実施例に係る放送信号受信方法は、第１カラーガマットベースのコンテンツデータ、及び前記第１カラーガマットベースのコンテンツデータに対するカラーガマットリサンプリング情報を含むシグナリング情報を受信するステップと、前記受信されたシグナリング情報及び第１カラーガマットベースのコンテンツデータをそれぞれデコードするステップと、前記デコードされたシグナリング情報に基づいて、前記デコードされた第１カラーガマットベースのコンテンツデータを第２カラーガマットベースのコンテンツデータにリサンプリングして前記第２カラーガマットベースのディスプレイで出力したり、又は前記デコードされた第１カラーガマットベースのコンテンツデータを前記第１カラーガマットベースのディスプレイで出力するステップとを有することができる。
【００２０】
好適には、前記カラーガマットリサンプリング情報は、前記第１カラーガマットに関する情報、前記第２カラーガマットに関する情報、前記リサンプリングの方式を示すカラーガマットリサンプリングタイプ情報、及び前記カラーガマットリサンプリングタイプ情報によるカラーガマットリサンプリングタイプの詳細情報を含むことができる。
【００２１】
好適には、前記第１カラーガマットに関する情報は、前記第１カラーガマットのタイプを示す情報、及び前記第１カラーガマットが既存に定義されたカラーガマットでない場合、前記第１カラーガマットを定義するための基準色相の色空間上の座標情報を含み、前記第２カラーガマットに関する情報は、前記第２カラーガマットのタイプを示す情報、及び前記第２カラーガマットが既存に定義されたカラーガマットでない場合、前記第２カラーガマットを定義するための基準色相の色空間上の座標情報を含むことができる。
【００２２】
好適には、前記カラーガマットリサンプリングタイプ情報によるリサンプリング方式が、第１カラーガマットベースのコンテンツデータを、カラーガマットの影響を受けない中立的な色空間上の値に変換し、前記変換された中立的な色空間上の値を第２カラーガマットベースのコンテンツデータに変換する方式である場合、前記カラーガマットリサンプリングタイプの詳細情報は、前記中立的な色空間のタイプを示す情報、前記第１カラーガマットベースのコンテンツデータを前記中立的な色空間上の値に変換するために用いる変換式の係数情報、及び前記変換された中立的な色空間上の値を第２カラーガマットベースのコンテンツデータに変換するために用いる変換式の係数情報を含むことができる。
【００２３】
好適には、前記カラーガマットリサンプリングタイプ情報によるリサンプリング方式が、第１カラーガマットベースのコンテンツデータを第２カラーガマットベースのコンテンツデータに直接変換する方式である場合、前記カラーガマットリサンプリングタイプの詳細情報は、前記第１カラーガマットベースのコンテンツデータを前記第２カラーガマットベースのコンテンツデータに変換するために用いる変換式の係数情報を含み、前記カラーガマットリサンプリングタイプ情報によるリサンプリング方式が、第１カラーガマットベースのコンテンツデータ及び第２カラーガマットベースのコンテンツデータのマッピング情報を示すルックアップテーブル（ｌｏｏｋ  ｕｐ  ｔａｂｌｅ）を利用する方式である場合、前記カラーガマットリサンプリングタイプの詳細情報は、前記ルックアップテーブルのタイプ情報及び前記ルックアップテーブルの構成要素情報を含むことができる。
【００２４】
好適には、前記シグナリング情報は、ＰＭＴ（Ｐｒｏｇｒａｍ  Ｍａｐ  Ｔａｂｌｅ）、ＥＩＴ（Ｅｖｅｎｔ  Ｉｎｆｏｒｍａｔｉｏｎ  Ｔａｂｌｅ）、ＶＵＩメッセージ（Ｖｉｄｅｏ  Ｕｓｕａｂｉｌｉｔｙ  Ｉｎｆｏｒｍａｔｉｏｎ  ｍｅｓｓａｇｅ）、及びＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）を含み、前記ＰＭＴ及びＥＩＴのうち少なくとも一つは、前記放送信号に含まれた放送サービスがカラーガマットリサンプリングベースの放送サービスであることを識別する情報を含むことができる。
【００２５】
好適には、前記カラーガマットリサンプリング情報は、ＰＭＴ、ＥＩＴ、ＶＵＩメッセージ及びＳＥＩメッセージのうち少なくとも一つに含まれてもよい。
【００２６】
本発明の他の実施例に係る放送信号送信装置は、第１カラーガマットベースのコンテンツデータを第２カラーガマットベースのコンテンツデータにリサンプリングするカラーガマットリサンプリング部と、前記リサンプリングに関する情報を示すカラーガマットリサンプリング情報を含むシグナリング情報を生成するシグナリング情報生成部と、前記生成されたシグナリング情報及び前記第２カラーガマットベースのコンテンツデータをそれぞれエンコードするエンコーダと、前記エンコードされたコンテンツデータ及び前記エンコードされたシグナリング情報を送信する伝送部とを備えることができる。
【００２７】
本発明の他の実施例に係る放送信号受信装置は、第１カラーガマットベースのコンテンツデータ、及び前記第１カラーガマットベースのコンテンツデータに対するカラーガマットリサンプリング情報を含むシグナリング情報を受信する受信部と、前記受信されたシグナリング情報及び第１カラーガマットベースのコンテンツデータをそれぞれデコードするデコーダと、前記デコードされたシグナリング情報に基づいて、前記デコードされた第１カラーガマットベースのコンテンツデータを第２カラーガマットベースのコンテンツデータにリサンプリングして前記第２カラーガマットベースのディスプレイで出力したり、又は前記デコードされた第１カラーガマットベースのコンテンツデータを前記第１カラーガマットベースのディスプレイで出力する出力部とを備えることができる。
【発明の効果】
【００２８】
本発明によれば、カラーガマットリサンプリングに基づく放送信号を送受信することができる。
【００２９】
本発明によれば、本来のコンテンツのカラーガマットとコンテンツが含まれて伝送されるコンテナのカラーガマットとが一致しない場合に発生する、受信端におけるディスプレイ劣化を減らすことができる。
【００３０】
本発明によれば、コンテンツのカラーガマットとコンテナのカラーガマットをそれぞれコンテンツの受信前に受信し、カラーガマットリサンプリングが必要であるか否かをあらかじめ判断することができる。
【００３１】
本発明によれば、受信機のディスプレイ性能によってカラーガマットをリサンプリングするか否かを決定し、受信機のディスプレイ性能に適したコンテンツを提供することができる。
【００３２】
本発明によれば、それぞれ別個のカラーガマットを有するディスプレイを全て支援することができる。
【００３３】
本発明によれば、一つの放送システムで様々なＵＨＤサービスを同時に支援することができる。
【図面の簡単な説明】
【００３４】
【図１】図１は、本発明の一実施例に係る放送信号の送信方法を示す図である。
【図２】図２は、本発明の一実施例に係るビデオの送受信手順を示す図である。
【図３】図３は、本発明の一実施例に係る受信機の動作を示す図である。
【図４】図４は、本発明の一実施例に係るガマットリサンプリング過程の詳細な動作を含む受信機の動作を示す図である。
【図５】図５は、本発明の一実施例に係るビデオ後処理過程（ｖｉｄｅｏ  ｐｏｓｔ−ｐｒｏｃｅｓｓｉｎｇ）の動作を示す図である。
【図６】図６は、本発明の一実施例に係るｇａｍｕｔ＿ｒｅｓａｍｐｌｉｎｇ＿ｉｎｆｏ（ｐａｙｌｏａｄｓｉｚｅ）を含むＳＥＩメッセージの構造を示す図である。
【図７】図７は、本発明の一実施例に係るｇａｍｕｔ＿ｒｅｓａｍｐｌｉｎｇ＿ｉｎｆｏ（ｐａｙｌｏａｄｓｉｚｅ）の構成を示す図である。
【図８】図８は、本発明の一実施例に係るｇｅｎｅｒａｌ＿ｃｏｌｏｒ＿ｐｒｉｍａｒｉｅｓ（）の構成を示す図である。
【図９】図９は、本発明の一実施例に係るｇａｍｕｔ＿ｒｅｓａｍｐｌｉｎｇ＿ｉｎｆｏ（）の構成を示す図である。
【図１０】図１０は、本発明の一実施例に係るｃｏｎｔａｉｎｅｒ＿ｃｏｌｏｒ＿ｇａｍｕｔ＿ｔｙｐｅの構成を示す図である。
【図１１】図１１は、本発明の一実施例に係るｃｏｎｔｅｎｔ＿ｃｏｌｏｒ＿ｇａｍｕｔ＿ｔｙｐｅの構成を示す図である。
【図１２】図１２は、本発明の一実施例に係るｇａｍｕｔ＿ｒｅｓａｍｐｌｉｎｇ＿ｔｙｐｅの構成を示す図である。
【図１３】図１３は、本発明の一実施例に係るｃｏｌｏｒ＿ｓｐａｃｅ＿ｔｙｐｅの構成を示す図である。
【図１４】図１４は、本発明の一実施例に係るガマットリサンプリング過程で現在カラーガマットを基準にＲＧＢで表現された値をＸＹＺに変換するマッピング関数（ｍａｐｐｉｎｇ  ｆｕｎｃｔｉｏｎ）による変換式を示す図である。
【図１５】図１５は、本発明の一実施例に係るガマットリサンプリング過程でＸＹＺで表現された色相を、目標カラーガマットを基準に表現されたＲＧＢ値に変換するマッピング関数による変換式を示す図である。
【図１６】図１６は、本発明の一実施例に係るガマットリサンプリング過程で単一変換式に基づいて現在カラーガマットを基準にＲＧＢで表現された値を目標カラーガマットを基準に表現されたＲ’Ｇ’Ｂ’値に変換するマッピング関数による変換式を示す図である。
【図１７】図１７は、本発明の一実施例に係るＬＵＴ＿ｔｙｐｅの構成を示す図である。
【図１８】図１８は、本発明の一実施例に係るＰＭＴ（Ｐｒｏｇｒａｍ  Ｍａｐ  Ｔａｂｌｅ）の構成を示す図である。
【図１９】図１９は、本発明の一実施例に係るＵＨＤ＿ｐｒｏｇｒａｍ＿ｉｎｆｏ＿ｄｅｓｃｒｉｐｔｏｒ（）の構成を示す図である。
【図２０】図２０は、本発明の一実施例に係るＵＨＤ＿ｓｅｒｖｉｃｅ＿ｔｙｐｅの構成を示す図である。
【図２１】図２１は、本発明の一実施例に係るＥＩＴ（Ｅｖｅｎｔ  Ｉｎｆｏｒｍａｔｉｏｎ  Ｔａｂｌｅ）の構成を示す図である。
【図２２】図２２は、本発明の一実施例に係るｇａｍｕｔ＿ｒｅｓａｍｐｌｉｎｇ＿ｉｎｆｏ＿ｄｅｓｃｒｉｐｔｏｒ（）の構成を示す図である。
【図２３】図２３は、本発明の一実施例に係るｇａｍｕｔ＿ｒｅｓａｍｐｌｉｎｇ＿ｍｅｔａｄａｔａ（）の構成を示す図である。
【図２４】図２４は、本発明の一実施例に係る送信機の動作を示す図である。
【図２５】図２５は、本発明の一実施例に係る受信機の構造及び動作を示す図である。
【図２６】図２６は、本発明の一実施例に係る放送信号の受信方法を示す図である。
【図２７】図２７は、本発明の一実施例に係る放送信号の送信装置の構成を示す図である。
【図２８】図２８は、本発明の一実施例に係る放送信号の受信装置の構成を示す図である。
【発明を実施するための形態】
【００３５】
以下、添付の図面及び添付の図面に記載された内容を参照して、本発明の実施例を詳しく説明する。ただし、本発明がこれらの実施例に制限又は限定されるわけではない。
【００３６】
本明細書で使われる用語は、本発明における機能を考慮すると共に、可能な限り現在広く使われている一般的な用語を選択したが、これは、当該分野に従事する技術者の意図、慣例、又は新しい技術の出現などによって変更してもよい。また、特定の場合には、出願人が任意に選定した用語もあり、その場合には、該当する発明の説明部分でその意味を記載するものとする。したがって、本明細書で使われる用語は、単純な用語の名称ではなく、その用語が持つ実質的な意味と本明細書の全般にわたる内容に基づいて解釈しなければならないことは明らかである。
【００３７】
図１は、本発明の一実施例に係る放送信号の送信方法を示す図である。
【００３８】
本発明の一実施例は、次のような過程によって放送信号を送信することができる。まず、本発明の一実施例に係る送信機は、第１カラーガマットベースのコンテンツデータを第２カラーガマットベースのコンテンツデータにリサンプリングすることができる（Ｓ１０１０）。本発明の一実施例に係る第１カラーガマットは、カメラで取得した時の本来のコンテンツデータのカラーガマットを意味することができ、本発明の一実施例によればＲＥＣ．７０９カラーガマットがそれに当たる。本発明の一実施例によれば、送信側で第１カラーガマットをコンテンツカラーガマットと命名することができる。本発明の一実施例に係る第２カラーガマットは、コンテンツデータを編集及び／又は伝送するためのカラーガマットであり、本発明の一実施例によればＢＴ．２０２０カラーガマットがそれに当たる。本発明の一実施例によれば、送信側で第２カラーガマットをコンテナカラーガマットと命名することができる。本発明の一実施例に係るカラーガマットは、色表現範囲又は色空間を示す意味で使うことができる。本発明の一実施例に係るリサンプリングする段階（Ｓ１０１０）に関する詳細な説明は、図２及び図２４の説明部分で後述する。次に、本発明の一実施例に係る送信機は、上述したリサンプリングに関する情報を示すカラーガマットリサンプリング情報を含むシグナリング情報を生成することができる（Ｓ１０２０）。本発明の一実施例に係るカラーガマットリサンプリング情報は、ｇａｍｕｔ＿ｒｅｓａｍｐｌｉｎｇ＿ｉｎｆｏ（ｐａｙｌｏａｄｓｉｚｅ）を意味することができ、本発明の一実施例に係るｇａｍｕｔ＿ｒｅｓａｍｐｌｉｎｇ＿ｉｎｆｏ（ｐａｙｌｏａｄｓｉｚｅ）は、ｇａｍｕｔ＿ｒｅｓａｍｐｌｉｎｇ＿ｉｎｆｏ（）とは異なる意味を有することができる。本発明の一実施例に係るシグナリング情報を生成する段階（Ｓ１０２０）に関する詳細な説明は、図６、図７、図８、図１８、図１９、図２１、図２２、図２３の説明部分で後述する。次に、本発明の一実施例に係る送信機は、生成されたシグナリング情報、及び第２カラーガマットに基づいてリサンプリングされたコンテンツデータをそれぞれエンコードすることができる（Ｓ１０３０）。これに関する詳細な説明は、図２４の説明部分で後述する。次に、本発明の一実施例に係る送信機は、エンコードされたコンテンツデータ及びエンコードされたシグナリング情報を伝送することができる（Ｓ１０４０）。このとき、コンテンツデータ及び／又はシグナリング情報は、地上波放送網、ケーブル網及び／又はインターネット網で伝送することができる。これに関する詳細な説明は、図２４の説明部分で後述する。
【００３９】
本発明の他の実施例によれば、上述したカラーガマットリサンプリング情報は、第１カラーガマットに関する情報、第２カラーガマットに関する情報、リサンプリングの方式を示すカラーガマットリサンプリングタイプ情報、及び／又はカラーガマットリサンプリングタイプ情報によるカラーガマットリサンプリングタイプの詳細情報を含むことができる。本発明の一実施例によれば、送信側で第１カラーガマットに関する情報にはｃｏｎｔｅｎｔ＿ｃｏｌｏｒ＿ｇａｍｕｔ＿ｔｙｐｅ及び／又はｇｅｎｅｒａｌ＿ｃｏｌｏｒ＿ｐｒｉｍａｒｉｅｓ（）を含めることができ、第２カラーガマットに関する情報にはｃｏｎｔａｉｎｅｒ＿ｃｏｌｏｒ＿ｇａｍｕｔ＿ｔｙｐｅ及び／又はｇｅｎｅｒａｌ＿ｃｏｌｏｒ＿ｐｒｉｍａｒｉｅｓ（）をめることができる。本発明の一実施例に係るカラーガマットリサンプリングタイプ情報は、ｇａｍｕｔ＿ｒｅｓａｍｐｌｉｎｇ＿ｔｙｐｅを意味することができ、カラーガマットリサンプリングタイプの詳細情報はｇａｍｕｔ＿ｒｅｓａｍｐｌｉｎｇ＿ｉｎｆｏ（）を意味することができる。これに関する詳細な説明は、図６乃至図１７の説明部分で後述する。
【００４０】
本発明の他の実施例によれば、第１カラーガマットに関する情報は、第１カラーガマットのタイプを示す情報、及び／又は第１カラーガマットが既存に定義されたカラーガマットでない場合には、第１カラーガマットを定義するための基準色相の色空間上の座標情報を含むことができ、第２カラーガマットに関する情報は、第２カラーガマットのタイプを示す情報、及び／又は第２カラーガマットが既存に定義されたカラーガマットでない場合には、第２カラーガマットを定義するための基準色相の色空間上の座標情報を含むことができる。本発明の一実施例に係るカラーガマットは、既存に標準と定義されたカラーガマットに該当してもよく、任意に定義されたカラーガマットに該当してもよい。本発明の一実施例に係る第１カラーガマットのタイプを示す情報はｃｏｎｔｅｎｔ＿ｃｏｌｏｒ＿ｇａｍｕｔ＿ｔｙｐｅを意味することができ、第１カラーガマットが既存に定義されたカラーガマットでない第１カラーガマットを定義するための基準色相の色空間上の座標情報は、ｇｅｎｅｒａｌ＿ｃｏｌｏｒ＿ｐｒｉｍａｒｉｅｓ（）に含まれた座標情報を意味することができる。本発明の一実施例に係る第２カラーガマットのタイプを示す情報は、ｃｏｎｔａｉｎｅｒ＿ｃｏｌｏｒ＿ｇａｍｕｔ＿ｔｙｐｅを意味することができ、第２カラーガマットが既存に定義されたカラーガマットでない場合、第２カラーガマットを定義するための基準色相の色空間上の座標情報は、ｇｅｎｅｒａｌ＿ｃｏｌｏｒ＿ｐｒｉｍａｒｉｅｓ（）に含まれた座標情報を意味することができる。これに関する詳細な説明は、図７，図８の説明部分で後述する。
【００４１】
本発明の他の実施例によれば、カラーガマットリサンプリングタイプ情報によるリサンプリング方式が、第１カラーガマットベースのコンテンツデータをカラーガマットの影響を受けない中立的な色空間上の値に変換し、変換された中立的な色空間上の値を第２カラーガマットベースのコンテンツデータに変換する方式である場合、カラーガマットリサンプリングタイプの詳細情報は、中立的な色空間のタイプを示す情報、第１カラーガマットベースのコンテンツデータを中立的な色空間上の値に変換するために用いる変換式の係数情報、及び／又は変換された中立的な色空間上の値を第２カラーガマットベースのコンテンツデータに変換するために用いる変換式の係数情報を含むことができる。本発明の一実施例に係る中立的な色空間のタイプを示す情報は、ｃｏｌｏｒ＿ｓｐａｃｅ＿ｔｙｐｅを意味することができ、第１カラーガマットベースのコンテンツデータを中立的な色空間上の値に変換するために用いる変換式の係数情報は、ＲＧＢ＿ＸＹＺ＿ｍａｐｐｉｎｇ＿ｆｕｎｃｔｉｏｎ＿ｃｏｅｆｆ［ｉ］を意味することができ、変換された中立的な色空間上の値を第２カラーガマットベースのコンテンツデータに変換するために用いる変換式の係数情報は、ＸＹＺ＿ｔｏ＿ＲＧＢｐｒｉｍｅ＿ｍａｐｐｉｎｇ＿ｆｕｎｃｔｉｏｎ＿ｃｏｅｆｆ［ｉ］を意味することができる。これに関する詳細な説明は、図７、図９の説明部分で後述する。
【００４２】
本発明の他の実施例によれば、カラーガマットリサンプリングタイプ情報によるリサンプリング方式が、第１カラーガマットベースのコンテンツデータを第２カラーガマットベースのコンテンツデータに直接変換する方式である場合、カラーガマットリサンプリングタイプの詳細情報は、第１カラーガマットベースのコンテンツデータを第２カラーガマットベースのコンテンツデータに変換するために用いる変換式の係数情報を含むことができ、カラーガマットリサンプリングタイプ情報によるリサンプリング方式が、第１カラーガマットベースのコンテンツデータ及び第２カラーガマットベースのコンテンツデータのマッピング情報を示すルックアップテーブル（ｌｏｏｋ  ｕｐ  ｔａｂｌｅ）を利用する方式である場合、カラーガマットリサンプリングタイプの詳細情報は、ルックアップテーブルのタイプ情報及びこのルックアップテーブルの構成要素情報を含むことができる。本発明の一実施例に係るカラーガマットリサンプリングタイプの詳細情報において、第１カラーガマットベースのコンテンツデータを第２カラーガマットベースのコンテンツデータに変換するために用いる変換式の係数情報は、ｇａｍｕｔ＿ｒｅｓａｍｐｌｉｎｇ＿ｆｕｎｃｔｉｏｎ＿ｃｏｅｆｆ［ｉ］を意味することができ、ルックアップテーブルのタイプ情報はＬＵＴ＿ｔｙｐｅを意味することができ、ルックアップテーブルの構成要素情報はＬＵＴ＿ｉｎｆｏ（）を意味することができる。これに関する詳細な説明は、図７、図９の説明部分で後述する。
【００４３】
本発明の他の実施例によれば、シグナリング情報は、ＰＭＴ（Ｐｒｏｇｒａｍ  Ｍａｐ  Ｔａｂｌｅ）、ＥＩＴ（Ｅｖｅｎｔ  Ｉｎｆｏｒｍａｔｉｏｎ  Ｔａｂｌｅ）、ＶＵＩメッセージ（Ｖｉｄｅｏ  Ｕｓｕａｂｉｌｉｔｙ  Ｉｎｆｏｒｍａｔｉｏｎ  ｍｅｓｓａｇｅ）及び／又はＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）を含み、本発明の一実施例に係るＰＭＴ及びＥＩＴのうち少なくとも一つは、伝送される放送信号に含まれた放送サービスがカラーガマットリサンプリングベースの放送サービスであることを識別する情報を含むことができる。これに関する詳細な説明は、図６、図１８、図１９、図２０、図２１の説明部分で後述する。
【００４４】
本発明の他の実施例によれば、カラーガマットリサンプリング情報は、ＰＭＴ、ＥＩＴ、ＶＵＩメッセージ及びＳＥＩメッセージのうち少なくとも一つに含まれてもよい。これに関する詳細な説明は、図６、図７、図１８、図１９、図２０、図２１、図２２、図２３の説明部分で後述する。
【００４５】
図２は、本発明の一実施例に係るビデオの送受信手順を示す図である。
【００４６】
本発明の一実施例に係るビデオの送受信手順は、レガシーコンテンツ取得過程（ｌｅｇａｃｙ  ｉｍａｇｅ  ｓｅｎｓｏｒ／ｌｅｇａｃｙ  ｃｏｎｔｅｎｔ（ＲＥＣ．７０９））２０１０、ガマットリサンプリング過程（ｇａｍｕｔ  ｒｅ−ｓａｍｐｌｉｎｇ）２０２０、プロダクション及びコンテンツ製作過程（ｐｒｏｄｕｃｔｉｏｎ／ｃｏｎｔｅｎｔ  ｐｒｏｖｉｄｅｒ（ＢＴ．２０２０））２０３０、ガマットリサンプリング逆過程（ｇａｍｕｔ  ｒｅ−ｓａｍｐｌｉｎｇ（ｉｎｖｅｒｓｅ））２０４０、及び／又はディスプレイ過程（ｌｅｇａｃｙ  ｄｉｓｐｌａｙ（ＲＥＣ．７０９））２０５０を含むことができる。
【００４７】
レガシーコンテンツ取得過程（ｌｅｇａｃｙ  ｉｍａｇｅ  ｓｅｎｓｏｒ／ｌｅｇａｃｙ  ｃｏｎｔｅｎｔ（ＲＥＣ．７０９））２０１０で、本発明の一実施例は、レガシーカメラで取得したレガシーコンテンツを取得することができる。本発明の一実施例に係るレガシーコンテンツは、ＲＥＣ．７０９カラーガマットベースのものとすることができる。本発明の一実施例に係るＲＥＣ．７０９カラーガマットに基づくレガシーコンテンツの色相は、色座標平面上に示すように、２０６０の三角形で表現することができる。
【００４８】
ガマットリサンプリング過程（ｇａｍｕｔ  ｒｅ−ｓａｍｐｌｉｎｇ）２０２０は、２つの異なるカラーガマット（ｃｏｌｏｒ  ｇａｍｕｔ）で共通に表現できる色相を対象にして、一つのカラーガマットに基づいて示したＲＧＢ又はＹＣｂＣｒ値を、他のカラーガマットに基づくＲＧＢ又はＹＣｂＣｒ値で示す過程を意味することができる。本発明の一実施例によれば、色座標平面上で同一座標に位置している色相であっても、それぞれ別個のカラーガマットに基づく場合には、ＲＧＢ又はＹＣｂＣｒ値が変わってもよい。これは、個別の幅を有するカラーガマットを同一個数のデジタル値（ｄｉｇｉｔａｌ  ｖｌａｕｅ）にサンプリング（ｓａｍｐｌｉｎｇ）する過程で個別のデジタル値へのマッピング（ｍａｐｐｉｎｇ）がなされるためであろう。例えば、８ビットのビット深度（ｂｉｔ  ｄｅｐｔｈ）を有するディスプレイにカラー値を表現する場合、色座標平面上の色座標（０．３，０．６）に対して、ＢＴ．７０９に基づくＲＧＢ又はＹＣｂＣｒを表現すれば（０，２５５，０）という値を有し、ＢＴ．２０２０に基づくＲＧＢ又はＹＣｂＣｒを表現すれば（１０，２００，３０）という全く新しい値を有することができる。ここで、上述した色座標平面は、ＣＩＥ  １９３１  ｘｙ  ｃｈｒｏｍａｔｉｃｉｔｙ  ｄｉａｇｒａｍに該当し得る。すなわち、本発明の一実施例に係るガマットリサンプリング２０２０，２０４０は、一つのカラーガマットによって定義されたデジタル値を他のカラーガマットに基づくデジタル値で表現することを意味することができる。本発明の一実施例に係るガマットリサンプリングは、コンテンツの色空間を基準色空間（ｃｏｌｏｒ  ｓｐａｃｅ）に変換することによって色座標平面上でカラーガマットに影響を受けないように表現した後、目標カラーガマットにカラーガマットを変換し、ビット深度量子化（ｑｕａｎｔｉｚａｔｉｏｎ）を行う過程を含むことができる。すなわち、本発明の一実施例は、特定カラーガマットに基づいて表現されたＲＧＢ色相を色座標平面にマップさせる過程によって、与えられたカラーガマットの影響を受けない中立的な空間で色相を表現した後、これをさらに新しいカラーガマットに基づいて再び表現することができる。上述した過程は、２つのカラーガマットに対して、重複する範囲で定義された色相を、新しいカラーガマットに基づいて再び表現する過程に該当し得る。例えば、広い範囲のカラーガマットに存在する色相を狭い範囲のカラーガマットの色相で表現しなければならない場合、上述した過程は、範囲を外れる色相に対してクリッピング（ｃｌｉｐｐｉｎｇ）をすることと同じ効果を有することができる。本発明の一実施例に係るＲＧＢは色相モデルの一種であり、色をレッド（Ｒｅｄ）、グリーン（Ｇｒｅｅｎ）、ブルー（Ｂｌｕｅ）の３つの成分の組合せで表現するものである。例えば、ＲＧＢモデルで、黒色はＲ＝Ｇ＝Ｂ＝０、白色はＲ＝Ｇ＝Ｂ＝２５５，黄色はＲ＝Ｇ＝２５５などと表現することができる。本発明の一実施例に係るＹＣｂＣｒは、映像システムで使われる色空間の一種であり、カラー情報から明るさ成分と色差成分を分離した色表現方式を意味することができる。ここで、Ｙは、輝度信号、Ｃｂ及びＣｒは色差信号を意味することができる。ＹＣｂＣｒは絶対色空間ではなく、ＲＧＢの三原色が視覚的に均一な情報を有するＲＧＢ情報を明るさ信号及び色差信号によってそれぞれ別個の情報を有するように数式で変換した色表現方式に該当し得る。
【００４９】
プロダクション及びコンテンツ製作過程（ｐｒｏｄｕｃｔｉｏｎ／ｃｏｎｔｅｎｔ  ｐｒｏｖｉｄｅｒ（ＢＴ．２０２０））２０３０で、本発明の一実施例は、ガマットリサンプリングされたコンテンツの映像を補正及び／又は編集などをすることができ、前のガマットリサンプリング過程で変換されたカラーガマットに基づいてコンテンツを受信端に伝送することができる。これに関する詳細な説明は後述する。
【００５０】
ガマットリサンプリング逆過程（ｇａｍｕｔ  ｒｅ−ｓａｍｐｌｉｎｇ（ｉｎｖｅｒｓｅ））２０４０は、上述したガマットリサンプリング過程２０２０と同一であってもよい。例えば、ガマットリサンプリング過程２０２０でＲＥＣ．７０９カラーガマットをＢＴ．２０２０カラーガマットに変換した場合には、ガマットリサンプリング逆過程２０４０では、ＢＴ．２０２０カラーガマットをＲＥＣ．７０９カラーガマットに変換することができる。本発明の一実施例は、新しいカラーガマットに対してマッピングが終わると、ディスプレイビット深度（ｄｉｓｐｌａｙ  ｂｉｔ  ｄｅｐｔｈ）によって量子化（ｑｕａｎｔｉｚａｔｉｏｎ）過程を経て最終ピクセル値を生成することができる。
【００５１】
ディスプレイ過程（ｌｅｇａｃｙ  ｄｉｓｐｌａｙ（ＲＥＣ．７０９））２０５０で、本発明の一実施例は、ガマットリサンプリング逆過程２０４０で変換されたカラーガマットに基づくコンテンツをディスプレイすることができる。例えば、ガマットリサンプリング逆過程２０４０で目標カラーガマット（ＢＴ．２０２０）をレガシーコンテンツのカラーガマットであるＲＥＣ．７０９カラーガマットに変換することができ、本発明の一実施例に係るレガシーディスプレイは、ＲＥＣ．７０９カラーガマットに基づくレガシーコンテンツをディスプレイすることができる。
【００５２】
本発明の一実施例によれば、色符号化（ｃｏｌｏｒ  ｅｎｃｏｄｉｎｇ）時のカラーガマットはＵＨＤＴＶ標準に従うが、コンテンツ及びディスプレイのカラーガマットは既存の標準に従う場合、本発明の一実施例は、これら２種類のカラーガマット情報及びガマットリサンプリングのための情報を受信端に伝達することができ、これによって、別個のカラーガマットを有するディスプレイを全て支援することができる。本発明の一実施例によれば、既存に用いられていたスケーラブル（ｓｃａｌａｂｌｅ）ベースの拡張とは違い、既存のコーデックをそのまま使用しながら、ビデオ情報に基づいて将来拡張性を考慮することができ、したがって、本発明の一実施例を、様々なＵＨＤサービスを提供するために用いることができる。例えば、ＤＶＢでＵＨＤ−１  ｐｈａｓｅ  １及び２サービスを同時に支援することができる。
【００５３】
本発明の一実施例によれば、それぞれ異なるカラーガマットの使用は、色符号化時にＵＨＤＴＶ標準カラーガマットに従う場合、将来拡張性及び将来プロダクション（ｐｒｏｄｕｃｔｉｏｎ）インフラの持続性側面で有利であり、映像取得及びディスプレイ装置に対しても、現在普及されている装備から将来使われる装備に至るまで様々な装備を支援するという側面で有利である。本発明の一実施例は、既存のＨＤＴＶコンテンツをＵＨＤＴＶ環境で提供する場合にカラーガマットの側面で発生する問題点を解決することができる。
【００５４】
本発明の一実施例は、ＸＹＺのようにＢＴ．２０２０よりも広い色表現範囲を色符号化に使用する場合にも適用することができる。
【００５５】
図３は、本発明の一実施例に係る受信機の動作を示す図である。
【００５６】
本発明の一実施例に係る受信機の動作は、デコーディング過程（ｄｅｃｏｄｅｒ）３０１０、ガマットリサンプリング過程（ｇａｍｕｔ  ｒｅ−ｓａｍｐｌｉｎｇ）３０２０、ビデオ後処理過程（ｖｉｄｅｏ  ｐｏｓｔ−ｐｒｏｃｅｓｓｉｎｇ）３０３０、及び／又はディスプレイ過程（ｄｉｓｐｌａｙ）３０４０を含むことができる。
【００５７】
デコーディング過程（ｄｅｃｏｄｅｒ）３０１０で、本発明の一実施例に係る受信機は、圧縮されたＵＨＤビデオストリーム（ｃｏｍｐｒｅｓｓｅｄ  ＵＨＤ  ｖｉｄｅｏ  ｓｔｒｅａｍ）を受信してデコードすることができる。
【００５８】
ガマットリサンプリング過程（ｇａｍｕｔ  ｒｅ−ｓａｍｐｌｉｎｇ）３０２０で受信機は、デコードされたＵＨＤビデオ（ｕｎｃｏｍｐｒｅｓｓｅｄ  ＵＨＤ  ｖｉｄｅｏ）が表現されたカラーガマットを変換することができる。このとき、コンテナのカラーガマット、コンテンツのカラーガマット及び／又はディスプレイのカラーガマットに関する情報を用いることができる。これに関する詳細な説明は後述する。
【００５９】
ビデオ後処理過程（ｖｉｄｅｏ  ｐｏｓｔ−ｐｒｏｃｅｓｓｉｎｇ）３０３０で受信機は、ガマットリサンプリングされたＵＨＤビデオ（ｇａｍｕｔ  ｒｅ−ｓａｍｐｌｅｄ  ＵＨＤ  ｖｉｄｅｏ）を後処理し、より一層向上した画質を有するＵＨＤビデオを生成することができる。これに関する詳細な説明は後述する。
【００６０】
ディスプレイ過程（ｄｉｓｐｌａｙ）３０４０で受信機は、後処理されたＵＨＤビデオをディスプレイすることができる。
【００６１】
図４は、本発明の一実施例に係るガマットリサンプリング過程の詳細な動作を含む受信機の動作を示す図である。
【００６２】
本発明の一実施例に係るガマットリサンプリング過程３０２０は、コンテナガマットマッチング過程（ｃｏｎｔａｉｎｅｒ  ｇａｍｕｔ  ｍａｔｃｈｉｎｇ）４０１０、コンテンツガマットマッチング過程（ｃｏｎｔｅｎｔ  ｇａｍｕｔ  ｍａｔｃｈｉｎｇ）４０２０、第１ガマットマッピング過程（ｇａｍｕｔ  ｍａｐｐｉｎｇ（ｃｌｉｐｐｉｎｇ））４０３０、及び／又はビット深度量子化過程（ｂｉｔ  ｄｅｐｔｈ  ｑｕａｎｔｉｚａｔｉｏｎ）４０４０を含むことができ、本発明の一実施例に係る受信機の動作は、ガマットリサンプリング過程３０２０、第２ガマットマッピング過程（ｇａｍｕｔ  ｍａｐｐｉｎｇ（ｃｏｎｖｅｒｓｉｏｎ））４０５０、レガシーディスプレイ過程（ｌｅｇａｃｙ  ｄｉｓｐｌａｙ）４０６０及び／又はＷＣＧディスプレイ過程（ＷＣＧ  ｄｉｓｐｌａｙ）４０７０を含むことができる。
【００６３】
本発明の一実施例によれば、受信機のディスプレイ特性によって、受信機のディスプレイがレガシーディスプレイである場合と、ＷＣＧ  ＵＨＤディスプレイである場合とに区別して受信機の動作を説明することができる。
【００６４】
本発明の一実施例に係る受信機のディスプレイがレガシーディスプレイである場合（シナリオ１）、すなわち、ＶＵＩ（ｖｉｄｅｏ  ｕｓｕａｂｉｌｉｔｙ  ｉｎｆｏｒｍａｔｉｏｎ）又はＳＥＩ（ｓｕｐｐｌｅｍｅｎｔａｌ  ｅｎｈａｎｃｅｍｅｎｔ  ｉｎｆｏｒｍａｔｉｏｎ）メッセージで伝達されるビデオカラーガマットが受信機で表現不可能であると判断される場合、受信機は、レガシーディスプレイに適するようにビデオを処理することができる。
【００６５】
コンテナガマットマッチング過程（ｃｏｎｔａｉｎｅｒ  ｇａｍｕｔ  ｍａｔｃｈｉｎｇ）４０１０は、ＶＵＩ又はＳＥＩメッセージで伝達されたコンテナのカラーガマットをディスプレイのカラーガマットと比較することができる。この時、ＶＵＩ内に定義されたｃｏｌｏｕｒ＿ｐｒｉｍａｒｉｅｓを用いたり、又は後述するｃｏｎｔａｉｎｅｒ＿ｃｏｌｏｒ＿ｇａｍｕｔ＿ｔｙｐｅを用いることができる。受信機が伝達されたコンテナのカラーガマットを表現できないと判断される場合、すなわち、受信機のディスプレイがレガシーディスプレイとして判断される場合、受信機は、受信された映像を後述の追加処理過程によって受信機のレガシーディスプレイに適した映像に変換することができる。
【００６６】
コンテンツガマットマッチング過程（ｃｏｎｔｅｎｔ  ｇａｍｕｔ  ｍａｔｃｈｉｎｇ）４０２０は、コンテナのカラーガマットを受信機のディスプレイで表現できない場合、コンテンツ自体のカラーガマット情報をディスプレイのカラーガマットと比較することができる。コンテンツのカラーガマットがディスプレイのカラーガマットとマッチされる場合、後述する第１ガマットマッピング過程によってガマットリサンプリング過程を行うことができる。一方、コンテンツのカラーガマットがディスプレイのカラーガマットとマッチされない場合、後述する第２ガマットマッピング過程によって、コンテンツの色表現範囲をディスプレイの色表現範囲内でディスプレイ可能に変換することができる。
【００６７】
第１ガマットマッピング過程（ｇａｍｕｔ  ｍａｐｐｉｎｇ（ｃｌｉｐｐｉｎｇ））４０３０は、ＷＣＧディスプレイを支援するために広い範囲のカラーガマットで表現されたコンテンツを、本来の色表現範囲で再び示す過程に該当し得る。この過程は、次のように大きく２つの過程を経ることができる。まず、受信機は、ＷＣＧディスプレイを支援するための広い範囲のカラーガマットを、相対的に狭いカラーガマットに変換することができる。この時、カラーガマットの変換は、両カラーガマットの間にあらかじめ約束されている変換関数を用いたり（ｇａｍｕｔ＿ｒｅｓａｍｐｌｉｎｇ＿ｔｙｐｅ＝ｐｒｅｄｅｆｉｎｅｄ  ｇａｍｕｔ  ｒｅ−ｓａｍｐｌｉｎｇ）、ガマットリサンプリング変換のための段階別の要素関数を直接伝送したり、又は、全体ガマットリサンプリング変換式又はＬＵＴ（ｌｏｏｋ  ｕｐ  ｔａｂｌｅ）の形態で変換関数を全て送信するなどの方法を用いて行うことができる。本発明の一実施例に係る第１ガマットマッピング過程は、ＷＣＧコンテンツをレガシーディスプレイで再生する場合においてカラーガマットクリッピング（ｃｌｉｐｐｉｎｇ）を用いるときにも同一に適用することができる。すなわち、受信機は、ＷＣＧをレガシーディスプレイで表現する際、色域外カラー（ｏｕｔ  ｏｆ  ｇａｍｕｔ  ｃｏｌｏｒ）が発生する場合にハード閾値法（ｈａｒｄ  ｔｈｒｅｓｈｏｌｄｉｎｇ）を用いてクリッピング効果を得ることができる。
【００６８】
ビット深度量子化過程（ｂｉｔ  ｄｅｐｔｈ  ｑｕａｎｔｉｚａｔｉｏｎ）４０４０は、上述した第１ガマットマッピング過程がなされた後、本来のカラーガマットに基づいて表現された色相をディスプレイのビット深度に合わせてビット深度を量子化する過程に該当し得る。これは、カラーガマットが変換された映像を、ディスプレイのビット深度に合わせて変更する過程を意味することができる。
【００６９】
第２ガマットマッピング過程（ｇａｍｕｔ  ｍａｐｐｉｎｇ（ｃｏｎｖｅｒｓｉｏｎ））４０５０は、レガシーディスプレイのカラーガマットとコンテンツのカラーガマットとがマッチされない場合に、ディスプレイのカラーガマットを基準にしてコンテンツのカラーガマットに基づく色相を変換する過程に該当し得る。ここで、レガシーディスプレイのカラーガマットとコンテンツのカラーガマットとがマッチされない場合、コンテンツはＷＣＧコンテンツに該当し得る。この場合、受信機は、前述したように、ＷＣＧコンテンツをクリッピングし、クリッピングされたＷＣＧコンテンツをレガシーディスプレイで再生することができるが、一層向上した色感の表現のために、ディスプレイのカラーガマットを基準にガマット外（ｏｕｔ  ｏｆ  ｇａｍｕｔ）となる色相を適切に表現すると同時に、ガマット内に存在する色相に対しては本来の色相を維持するようにＷＣＧコンテンツを変換することができる。
【００７０】
レガシーディスプレイ過程（ｌｅｇａｃｙ  ｄｉｓｐｌａｙ）４０６０は、上述した過程で加工されたビデオを、レガシーＵＨＤディスプレイで再生する過程に該当し得る。必要な場合、本発明の一実施例は、ディスプレイの前に受信機のビデオ後処理過程を行い、一層向上した画質を提供することができる。
【００７１】
本発明の一実施例に係る受信機のディスプレイがＷＣＧ  ＵＨＤディスプレイである場合（シナリオ２）、すなわち、ＶＵＩ（ｖｉｄｅｏ  ｕｓｕａｂｉｌｉｔｙ  ｉｎｆｏｒｍａｔｉｏｎ）又はＳＥＩ（ｓｕｐｐｌｅｍｅｎｔａｌ  ｅｎｈａｎｃｅｍｅｎｔ  ｉｎｆｏｒｍａｔｉｏｎ）メッセージで伝達されるビデオカラーガマットが受信機で表現可能であると判断される場合、受信機は、下記の動作によってガマットリサンプリング過程無しでコンテンツを再生することができる。
【００７２】
コンテナガマットマッチング過程（ｃｏｎｔａｉｎｅｒ  ｇａｍｕｔ  ｍａｔｃｈｉｎｇ）４０１０で受信機は、ＶＵＩ又はＳＥＩメッセージで伝達されたコンテナのカラーガマットをディスプレイのカラーガマットと比較し、伝達されたコンテンツの色相を当該受信機のディスプレイで表現できるか否かを判断することができる。伝達されたコンテナのカラーガマットを表現できると判断される場合、受信機のディスプレイはＷＣＧ  ＵＨＤディスプレイとして判断され、受信機は、伝達されたコンテンツを追加処理無しでディスプレイすることができる。
【００７３】
ＷＣＧディスプレイ過程（ＷＣＧ  ｄｉｓｐｌａｙ）４０７０で受信機は、上述したコンテナガマットマッチング過程４０１０で受信機が伝達されたコンテナのカラーガマットを十分に表現できると判断される場合、すなわち、受信機のディスプレイがＷＣＧ  ＵＨＤディスプレイに該当する場合、伝達されるビデオを直ちにＷＣＧ  ＵＨＤディスプレイで再生することができる。必要な場合、本発明の一実施例は、ディスプレイの前に、受信機のビデオ後処理過程によって一層向上した画質を提供することもできる。
【００７４】
本発明の一実施例によれば、上述したコンテナガマットマッチング過程（ｃｏｎｔａｉｎｅｒ  ｇａｍｕｔ  ｍａｔｃｈｉｎｇ）４０１０、コンテンツガマットマッチング過程（ｃｏｎｔｅｎｔ  ｇａｍｕｔ  ｍａｔｃｈｉｎｇ）４０２０、第１ガマットマッピング過程（ｇａｍｕｔ  ｍａｐｐｉｎｇ（ｃｌｉｐｐｉｎｇ））４０３０、ビット深度量子化過程（ｂｉｔ  ｄｅｐｔｈ  ｑｕａｎｔｉｚａｔｉｏｎ）４０４０及び又はガマットリサンプリング過程３０２０においてガマットリサンプリングメタデータ及び／又はディスプレイ情報を用いることができ、ガマットリサンプリングメタデータはコンテナのカラーガマット、コンテンツのカラーガマットに関する情報を含むことができ、ディスプレイ情報はディスプレイのカラーガマットに関する情報を含むことができる。
【００７５】
図５は、本発明の一実施例に係るビデオ後処理過程（ｖｉｄｅｏ  ｐｏｓｔ−ｐｒｏｃｅｓｓｉｎｇ）の動作を示す図である。
【００７６】
本発明の一実施例に係るビデオ後処理過程３０３０は、トーンマッピング過程（ｔｏｎｅ  ｍａｐｐｉｎｇ）５０１０、伝達曲線過程（ｔｒａｎｓｆｅｒ  ｃｕｒｖｅ）５０２０、及び／又は色相補正過程（ｃｏｌｏｒ  ｃｏｒｒｅｃｔｉｏｎ  ｍａｔｒｉｘ）５０３０を含むことができる。
【００７７】
トーンマッピング過程（ｔｏｎｅ  ｍａｐｐｉｎｇ）５０１０は、ガマットリサンプリングされたビデオを、ビデオの明るい部分は鮮明に、暗い部分はより明るく変換することができる。
【００７８】
伝達曲線過程（ｔｒａｎｓｆｅｒ  ｃｕｒｖｅ）５０２０は、伝達曲線（ｔｒａｎｓｆｅｒ  ｃｕｒｖｅ）を用いて、トーンマップされたビデオを一層向上した画質を有するビデオに変換することができる。
【００７９】
色相補正過程（ｃｏｌｏｒ  ｃｏｒｒｅｃｔｉｏｎ  ｍａｔｒｉｘ）５０３０は、色補正マトリクスを用いて、ビデオを色補正されたビデオに変換することができる。
【００８０】
図６は、本発明の一実施例に係るｇａｍｕｔ＿ｒｅｓａｍｐｌｉｎｇ＿ｉｎｆｏ（ｐａｙｌｏａｄｓｉｚｅ）を含むＳＥＩメッセージの構造を示す図である。
【００８１】
本発明の一実施例に係るｇａｍｕｔ＿ｒｅｓａｍｐｌｉｎｇ＿ｉｎｆｏ（ｐａｙｌｏａｄｓｉｚｅ）は、ＳＥＩメッセージを送信するパケットのペイロードで伝送することができる。本発明の一実施例によれば、上述したｇａｍｕｔ＿ｒｅｓａｍｐｌｉｎｇ＿ｉｎｆｏ（ｐａｙｌｏａｄｓｉｚｅ）は、ｇａｍｕｔ  ｒｅ−ｓａｍｐｌｉｎｇ  ｉｎｆｏｒｍａｔｉｏｎ  ｄｅｓｃｒｉｐｔｏｒを意味することができる。
【００８２】
図７は、本発明の一実施例に係るｇａｍｕｔ＿ｒｅｓａｍｐｌｉｎｇ＿ｉｎｆｏ（ｐａｙｌｏａｄｓｉｚｅ）の構成を示す図である。
【００８３】
本発明の一実施例に係るｇａｍｕｔ＿ｒｅｓａｍｐｌｉｎｇ＿ｉｎｆｏ（ｐａｙｌｏａｄｓｉｚｅ）は、ｃｏｎｔａｉｎｅｒ＿ｃｏｌｏｒ＿ｇａｍｕｔ＿ｔｙｐｅフィールド、ｃｏｎｔｅｎｔ＿ｃｏｌｏｒ＿ｇａｍｕｔ＿ｔｙｐｅフィールド、ｇｅｎｅｒａｌ＿ｃｏｌｏｒ＿ｐｒｉｍａｒｉｅｓ（）、ｇａｍｕｔ＿ｒｅｓａｍｐｌｉｎｇ＿ｔｙｐｅフィールド及び／又はｇａｍｕｔ＿ｒｅｓａｍｐｌｉｎｇ＿ｉｎｆｏ（）を含むことができる。
【００８４】
ｃｏｎｔａｉｎｅｒ＿ｃｏｌｏｒ＿ｇａｍｕｔ＿ｔｙｐｅフィールドは、コンテンツを供給するに先立ち、映像の後処理作業（過程）及び伝送の基準となる色表現範囲を示すことができる。本発明の一実施例は、映像後処理作業で使われるカラーガマットが色符号化で使われるカラーガマットと同一であると前提している。本発明の他の実施例は、後処理作業に使われるカラーガマットが色符号化に使われるカラーガマットと異なる場合、それぞれを個別にシグナルし、色符号化に使われるカラーガマットを基準として用いることができる。本発明の一実施例は、標準と定義されたカラーガマットをシグナルすることができ、任意の色表現範囲が使われる場合、このフィールドを０１１０値に設定した後、ＲＧＢＷ＿ｐｒｉｍａｒｉｅｓ（）でレッド（ｒｅｄ）、グリーン（ｇｒｅｅｎ）、ブルー（ｂｌｕｅ）、ホワイト（ｗｈｉｔｅ）の座標をシグナルすることができる。このフィールドが有するフィールド値に関する説明は、後述する。
【００８５】
ｃｏｎｔｅｎｔ＿ｃｏｌｏｒ＿ｇａｍｕｔ＿ｔｙｐｅフィールドは、原本コンテンツの色表現範囲を示すことができる。このフィールドは、標準と定義されたカラーガマットをシグナルすることができ、任意の色表現範囲が使われる場合、このフィールドを０１１０値に設定した後、ＲＧＢＷ＿ｐｒｉｍａｒｉｅｓ（）でレッド、グリーン、ブルー、ホワイトの座標をシグナルすることができる。このフィールドが有するフィールド値に関する説明は後述する。
【００８６】
ｇａｍｕｔ＿ｒｅｓａｍｐｌｉｎｇ＿ｔｙｐｅフィールドは、コンテナのカラーガマットを基準に表現されている色相をコンテンツのカラーガマットを基準に表現した時の値を求めるためのガマットリサンプリングのタイプを示すことができる。このフィールドが有するフィールド値に関する説明は後述する。
【００８７】
ｇｅｎｅｒａｌ＿ｃｏｌｏｒ＿ｐｒｉｍａｒｉｅｓ（）及びｇａｍｕｔ＿ｒｅｓａｍｐｌｉｎｇ＿ｉｎｆｏ（）に関する説明は後述する。
【００８８】
本発明の一実施例によれば、上述したｇａｍｕｔ＿ｒｅｓａｍｐｌｉｎｇ＿ｉｎｆｏ（ｐａｙｌｏａｄｓｉｚｅ）とｇａｍｕｔ＿ｒｅｓａｍｐｌｉｎｇ＿ｉｎｆｏ（ｐａｙｌｏａｄｓｉｚｅ）に含まれたｇａｍｕｔ＿ｒｅｓａｍｐｌｉｎｇ＿ｉｎｆｏ（）は異なってもよい。
【００８９】
図８は、本発明の一実施例に係るｇｅｎｅｒａｌ＿ｃｏｌｏｒ＿ｐｒｉｍａｒｉｅｓ（）の構成を示す図である。
【００９０】
本発明の一実施例によれば、コンテナカラーガマット又はコンテンツカラーガマットのカラーガマットタイプ（ｃｏｌｏｒ  ｇａｍｕｔ  ｔｙｐｅ）が、標準と指定された値ではなく任意の値を使用することを示す場合、送信側は、カラーガマットを定義できる色相の色空間上座標を伝送することができる。本発明の一実施例は、レッド、グリーン、ブルー、ホワイト（Ｒ，Ｇ，Ｂ，Ｗ）に基づいて色範囲を定義することができる。また、本発明の他の実施例は、ＲＧＢ以外の原色（ｃｏｌｏｒ  ｐｒｉｍａｒｙ）を用いて色範囲を定義することができ、この場合に対してもｇｅｎｅｒａｌ＿ｃｏｌｏｒ＿ｐｒｉｍａｒｉｅｓ（）を用いて表現することができる。
【００９１】
本発明の一実施例に係るｇｅｎｅｒａｌ＿ｃｏｌｏｒ＿ｐｒｉｍａｒｉｅｓ（）は、デスクリプタの形態を有することができる。
【００９２】
本発明の一実施例に係るｇｅｎｅｒａｌ＿ｃｏｌｏｒ＿ｐｒｉｍａｒｉｅｓ（）は、ＲＧＢＷ＿ｐｒｉｍａｒｙ＿ｆｌａｇフィールド、ｃｏｌｏｒ＿ｐｒｉｍａｒｙ＿ｒ＿ｘフィールド、ｃｏｌｏｒ＿ｐｒｉｍａｒｙ＿ｒ＿ｙフィールド、ｃｏｌｏｒ＿ｐｒｉｍａｒｙ＿ｇ＿ｘフィールド、ｃｏｌｏｒ＿ｐｒｉｍａｒｙ＿ｇ＿ｙフィールド、ｃｏｌｏｒ＿ｐｒｉｍａｒｙ＿ｂ＿ｘフィールド、ｃｏｌｏｒ＿ｐｒｉｍａｒｙ＿ｂ＿ｙフィールド、ｃｏｌｏｒ＿ｐｒｉｍａｒｙ＿ｎｕｍｂｅｒｓ＿ｍｉｎｕｓ＿３フィールド、ｃｏｌｏｒ＿ｐｒｉｍａｒｙ＿ｘ［ｉ］フィールド、ｃｏｌｏｒ＿ｐｒｉｍａｒｙ＿ｙ［ｉ］フィールド、ｗｈｉｔｅ＿ｐｒｉｍａｒｙ＿ｘフィールド及び／又はｗｈｉｔｅ＿ｐｒｉｍａｒｙ＿ｙフィールドを含むことができる。
【００９３】
ＲＧＢＷ＿ｐｒｉｍａｒｙ＿ｆｌａｇフィールドは、任意のカラーガマットを表現する方法を示すことができる。任意の三原色（ＲＧＢ）に基づいてカラーガマットを示す場合、このフィールドは１値を有し、ＲＧＢ以外の値に基づいてカラーガマットを示す場合、このフィールドは０値を有することができる。
【００９４】
ｃｏｌｏｒ＿ｐｒｉｍａｒｙ＿ｒ＿ｘフィールドは、色空間上でレッド（Ｒ）色のｘ座標を示すことができる。このフィールドは、０〜１範囲の値に対して２進化した値を示すことができ、基準となる値との差値を示すことができる。
【００９５】
ｃｏｌｏｒ＿ｐｒｉｍａｒｙ＿ｒ＿ｙフィールドは、色空間上でレッド（Ｒ）色のｙ座標を示すことができる。このフィールドは、０〜１範囲の値に対して２進化した値を示すことができ、基準となる値との差値を示すことができる。
【００９６】
ｃｏｌｏｒ＿ｐｒｉｍａｒｙ＿ｇ＿ｘフィールドは、色空間上でグリーン（Ｇ）色のｘ座標を示すことができる。このフィールドは、０〜１範囲の値に対して２進化した値を示すことができ、基準となる値との差値を示すことができる。
【００９７】
ｃｏｌｏｒ＿ｐｒｉｍａｒｙ＿ｇ＿ｙフィールドは、色空間上でグリーン（Ｇ）色のｙ座標を示すことができる。このフィールドは、０〜１範囲の値に対して２進化した値を示すことができ、基準となる値との差値を示すことができる。
【００９８】
ｃｏｌｏｒ＿ｐｒｉｍａｒｙ＿ｂ＿ｘフィールドは、色空間上でブルー（Ｂ）色のｘ座標を示すことができる。このフィールドは、０〜１範囲の値に対して２進化した値を示すことができ、基準となる値との差値を示すことができる。
【００９９】
ｃｏｌｏｒ＿ｐｒｉｍａｒｙ＿ｂ＿ｙフィールドは、色空間上でブルー（Ｂ）色のｙ座標を示すことができる。このフィールドは、０〜１範囲の値に対して２進化した値を示すことができ、基準となる値との差値を示すことができる。ここで、上述した色空間はＣＩＥ  １９３１に該当してもよい。
【０１００】
ｃｏｌｏｒ＿ｐｒｉｍａｒｙ＿ｎｕｍｂｅｒｓ＿ｍｉｎｕｓ＿３フィールドは、ＲＧＢ以外の原色を用いて色表現範囲を定義する場合、原色の個数を示すことができる。本発明の一実施例は、色座標平面で複数の色相を示すための最小のプライマリ（ｐｒｉｍａｒｙ）を３と仮定し、使用可能な原色値の個数を３＜＝ｃｏｌｏｒ＿ｐｒｉｍａｒｙ＿ｎｕｍｂｅｒｓ＿ｍｉｎｕｓ＿３＋３＜＝１８と定義することができる。
【０１０１】
ｃｏｌｏｒ＿ｐｒｉｍａｒｙ＿ｘ［ｉ］フィールドは、ＲＧＢ以外の原色を用いて色表現範囲を定義する場合、ｉ番目の原色の色空間上ｘ座標を示すことができる。このフィールドは、０〜１範囲の値に対して２進化した値を示すことができ、基準となる値との差値を示すことができる。
【０１０２】
ｃｏｌｏｒ＿ｐｒｉｍａｒｙ＿ｙ［ｉ］フィールドは、ＲＧＢ以外の原色を用いて色表現範囲を定義する場合、ｉ番目の原色の色空間上ｙ座標を示すことができる。このフィールドは、０〜１範囲の値に対して２進化した値を示すことができ、基準となる値との差値を示すことができる。
【０１０３】
ｗｈｉｔｅ＿ｐｒｉｍａｒｙ＿ｘフィールドは、色空間上ホワイト色のｘ座標を示すことができる。このフィールドは、０〜１範囲の値に対して２進化した値を示すことができ、基準となる値との差値を示すことができる。
【０１０４】
ｗｈｉｔｅ＿ｐｒｉｍａｒｙ＿ｙフィールドは、色空間上ホワイト色のｙ座標を示すことができる。このフィールドは、０〜１範囲の値に対して２進化した値を示すことができ、基準となる値との差値を示すことができる。
【０１０５】
図９は、本発明の一実施例に係るｇａｍｕｔ＿ｒｅｓａｍｐｌｉｎｇ＿ｉｎｆｏ（）の構成を示す図である。
【０１０６】
本発明の一実施例に係るｇａｍｕｔ＿ｒｅｓａｍｐｌｉｎｇ＿ｉｎｆｏ（）は、デスクリプタの形態を有することができ、上述した本発明の一実施例に係るｇａｍｕｔ＿ｒｅｓａｍｐｌｉｎｇ＿ｉｎｆｏ（ｐａｙｌｏａｄｓｉｚｅ）に含まれてもよい。
【０１０７】
本発明の一実施例に係るｇａｍｕｔ＿ｒｅｓａｍｐｌｉｎｇ＿ｉｎｆｏ（）は、ｃｏｌｏｒ＿ｓｐａｃｅ＿ｔｙｐｅフィールド、ＲＧＢ＿ｔｏ＿ＸＹＺ＿ｍａｐｐｉｎｇ＿ｆｕｎｃｔｉｏｎ＿ｆｌａｇフィールド、ＸＹＺ＿ｔｏ＿ＲＧＢｐｒｉｍｅ＿ｍａｐｐｉｎｇ＿ｆｕｎｃｔｉｏｎ＿ｆｌａｇフィールド、ｎｕｍｂｅｒ＿ｏｆ＿ｃｏｅｆｆフィールド、ＲＧＢ＿ＸＹＺ＿ｍａｐｐｉｎｇ＿ｆｕｎｃｔｉｏｎ＿ｃｏｅｆｆ［ｉ］フィールド、ＸＹＺ＿ｔｏ＿ＲＧＢｐｒｉｍｅ＿ｍａｐｐｉｎｇ＿ｆｕｎｃｔｉｏｎ＿ｃｏｅｆｆ［ｉ］フィールド、ｇａｍｕｔ＿ｒｅｓａｍｐｌｉｎｇ＿ｆｕｎｃｔｉｏｎ＿ｃｏｅｆｆ［ｉ］フィールド、ＬＵＴ＿ｔｙｐｅフィールド及び／又はＬＵＴ＿ｉｎｆｏ（）を含むことができる。
【０１０８】
ｃｏｌｏｒ＿ｓｐａｃｅ＿ｔｙｐｅフィールドは、ガマットリサンプリング時に用いられる任意の色空間を示すことができる。このフィールドが有するフィールド値に関する説明は後述する。
【０１０９】
ＲＧＢ＿ｔｏ＿ＸＹＺ＿ｍａｐｐｉｎｇ＿ｆｕｎｃｔｉｏｎ＿ｆｌａｇフィールドが１値を有する場合、このフィールドは、現在カラーガマットを基準にＲＧＢで表現された値をＸＹＺに変換するマッピング関数（ｍａｐｐｉｎｇ  ｆｕｎｃｔｉｏｎ）の要素が直接シグナリングされることを示すことができる。このフィールドが０値を有する場合、このフィールドは、与えられたｃｏｌｏｒ＿ｓｐａｃｅ＿ｔｙｐｅに対してあらかじめ定められた値を使用したり、又は受信機で類推してマッピングを行うことを示すことができる。本発明の一実施例によれば、このフィールドは、ＲＧＢ  ｔｏ  ＸＹＺではなくＹＣｂＣｒ  ｔｏ  ＸＹＺ又はその他のカラーに対するマッピング関数を表現するためにも用いることができる。
【０１１０】
ＸＹＺ＿ｔｏ＿ＲＧＢｐｒｉｍｅ＿ｍａｐｐｉｎｇ＿ｆｕｎｃｔｉｏｎ＿ｆｌａｇフィールドが１値を有する場合、このフィールドは、ＸＹＺで表現された色相を目標カラーガマットを基準に表現されたＲＧＢ値に変換するマッピング関数（ｍａｐｐｉｎｇ  ｆｕｎｃｔｉｏｎ）の要素が直接シグナリングされることを示すことができる。このフィールドが０値を有する場合、このフィールドは、与えられたｃｏｌｏｒ＿ｓｐａｃｅ＿ｔｙｐｅに対してあらかじめ定められた値を使用したり、又は受信機で類推してマッピングを行うことを示すことができる。本発明の一実施例によれば、このフィールドは、ＲＧＢ  ｔｏ  ＸＹＺではなくＹＣｂＣｒ  ｔｏ  ＸＹＺ又はその他のカラーに対するマッピング関数を表現するためにも用いることができる。
【０１１１】
ｎｕｍｂｅｒ＿ｏｆ＿ｃｏｅｆｆフィールド（ＲＧＢ＿ｔｏ＿ＸＹＺ＿ｍａｐｐｉｎｇ＿ｆｕｎｃｔｉｏｎ＿ｆｌａｇループ内に存在）は、現在カラーガマットを基準にＲＧＢで表現された値をＸＹＺに変換するマッピング関数の要素（係数）の個数を示すことができる。
【０１１２】
ＲＧＢ＿ＸＹＺ＿ｍａｐｐｉｎｇ＿ｆｕｎｃｔｉｏｎ＿ｃｏｅｆｆ［ｉ］フィールドは、現在カラーガマットを基準にＲＧＢで表現された値をＸＹＺに変換するマッピング関数の要素を示すことができる。本発明の一実施例は、線形マトリクス（ｌｉｎｅａｒ  ｍａｔｒｉｘ）を用いて変換する場合を仮定しており、各要素は、後述する図面のように一つの変換式を構成することができる。
【０１１３】
ｎｕｍｂｅｒ＿ｏｆ＿ｃｏｅｆｆフィールド（ＸＹＺ＿ｔｏ＿ＲＧＢｐｒｉｍｅ＿ｍａｐｐｉｎｇ＿ｆｕｎｃｔｉｏｎ＿ｆｌａｇループ内に存在）は、色空間上でＸＹＺで表現された色相を、目標カラーガマットを基準に表現されたＲＧＢ値に変換するマッピング関数の要素の個数を示すことができる。
【０１１４】
ＸＹＺ＿ｔｏ＿ＲＧＢｐｒｉｍｅ＿ｍａｐｐｉｎｇ＿ｆｕｎｃｔｉｏｎ＿ｃｏｅｆｆ［ｉ］フィールドは、色空間上でＸＹＺで表現された色相を、目標カラーガマットを基準に表現されたＲＧＢ値に変換するマッピング関数の要素を示すことができる。本発明の一実施例は、線形マトリクスを用いて変換する場合を仮定しており、各要素は、後述する図面のように一つの変換式を構成することができる。
【０１１５】
ｎｕｍｂｅｒ＿ｏｆ＿ｃｏｅｆｆフィールド（ｇａｍｕｔ＿ｒｅｓａｍｐｌｉｎｇ＿ｔｙｐｅ＝＝’００１０’ループ内に存在）は、単一変換式に基づいて、現在カラーガ
マットを基準にＲＧＢで表現された値を目標カラーガマットを基準に表現されたＲ’Ｇ
’Ｂ’値に変換するマッピング関数の要素の個数を示すことができる。
【０１１６】
ｇａｍｕｔ＿ｒｅｓａｍｐｌｉｎｇ＿ｆｕｎｃｔｉｏｎ＿ｃｏｅｆｆ［ｉ］フィールドは、単一変換式に基づいて、現在カラーガマットを基準にＲＧＢで表現された値を目標カラーガマットを基準に表現されたＲ’Ｇ’Ｂ’値に変換するマッピング関数の要素
の個数を示すことができる。本発明の一実施例によれば、このフィールドは、受信端で別の処理無しでコンテンツプロバイダ（ｃｏｎｔｅｎｔ  ｐｒｏｖｉｄｅｒ）が提供する変換をそのまま利用する場合に用いることができる。本発明の一実施例は、線形マトリクスを用いて変換する場合を仮定しており、各要素は、後述する図面のように一つの変換式を構成することができる。
【０１１７】
ＬＵＴ＿ｔｙｐｅフィールドは、ｇａｍｕｔ＿ｒｅｓａｍｐｌｉｎｇ＿ｔｙｐｅが００１１である場合に用いられるＬＵＴ（ｌｏｏｋ  ｕｐ  ｔａｂｌｅ）の種類を示すことができる。本発明の一実施例に係るＬＵＴは、カラーマッピング（ｃｏｌｏｒ  ｍａｐｐｉｎｇ）のために用いられる方法の一つであり、入力値（ｉｎｐｕｔ  ｖａｌｕｅ）及び出力値（ｏｕｔｐｕｔ  ｖａｌｕｅ）を一対一マッチさせるテーブルを意味することができる。このフィールドが有するフィールド値に関する説明は後述する。
【０１１８】
ＬＵＴ＿ｉｎｆｏ（）は、上述したＬＵＴ＿ｔｙｐｅによるＬＵＴの構成要素を含むことができる。
【０１１９】
図１０は、本発明の一実施例に係るｃｏｎｔａｉｎｅｒ＿ｃｏｌｏｒ＿ｇａｍｕｔ＿ｔｙｐｅの構成を示す図である。
【０１２０】
本発明の一実施例に係るｃｏｎｔａｉｎｅｒ＿ｃｏｌｏｒ＿ｇａｍｕｔ＿ｔｙｐｅフィールドは、本発明の一実施例に係るｇａｍｕｔ＿ｒｅｓａｍｐｌｉｎｇ＿ｉｎｆｏ（ｐａｙｌｏａｄｓｉｚｅ）に含めることができる。
【０１２１】
本発明の一実施例に係るｃｏｎｔａｉｎｅｒ＿ｃｏｌｏｒ＿ｇａｍｕｔ＿ｔｙｐｅが００００であれば、カラーガマットはＢＴ．６０１であることを示し、０００１であればＢＴ．７０９、００１０であればＤＣＩ−Ｐ３、００１１であればＢＴ．２０２０（ＮＣＬ）、０１００であればＢＴ．２０２０（ＣＬ）、０１０１であればＸＹＺ、０１１０であれば、カラーガマットはユーザの定義に従うことを示すことができる。
【０１２２】
図１１は、本発明の一実施例に係るｃｏｎｔｅｎｔ＿ｃｏｌｏｒ＿ｇａｍｕｔ＿ｔｙｐｅの構成を示す図である。
【０１２３】
本発明の一実施例に係るｃｏｎｔｅｎｔ＿ｃｏｌｏｒ＿ｇａｍｕｔ＿ｔｙｐｅフィールドは、本発明の一実施例に係るｇａｍｕｔ＿ｒｅｓａｍｐｌｉｎｇ＿ｉｎｆｏ（ｐａｙｌｏａｄｓｉｚｅ）に含めることができる。
【０１２４】
本発明の一実施例に係るｃｏｎｔｅｎｔ＿ｃｏｌｏｒ＿ｇａｍｕｔ＿ｔｙｐｅが００００であれば、カラーガマットはＢＴ．６０１であることを示し、０００１であればＢＴ．７０９、００１０であればＤＣＩ−Ｐ３、００１１であればＢＴ．２０２０（ＮＣＬ）、０１００であればＢＴ．２０２０（ＣＬ）、０１０１であればＸＹＺ、０１１０であれば、カラーガマットはユーザの定義に従うことを示すことができる。
【０１２５】
図１２は、本発明の一実施例に係るｇａｍｕｔ＿ｒｅｓａｍｐｌｉｎｇ＿ｔｙｐｅの構成を示す図である。
【０１２６】
本発明の一実施例に係るｇａｍｕｔ＿ｒｅｓａｍｐｌｉｎｇ＿ｔｙｐｅフィールドは、本発明の一実施例に係るｇａｍｕｔ＿ｒｅｓａｍｐｌｉｎｇ＿ｉｎｆｏ（ｐａｙｌｏａｄｓｉｚｅ）に含めることができる。
【０１２７】
本発明の一実施例に係るｇａｍｕｔ＿ｒｅｓａｍｐｌｉｎｇ＿ｔｙｐｅが００００である場合、受信機は、コンテナカラーガマット及びコンテンツカラーガマットの情報に基づいて受信機で類推する方法、又はあらかじめ約束された方法（ｐｒｅ−ｄｅｆｉｎｅｄ  ｇａｍｕｔ  ｒｅ−ｓａｍｐｌｉｎｇ）を用いて、ガマットリサンプリングを行うことができる。０００１乃至００１１である場合、受信機は、前述したｇａｍｕｔ＿ｒｅｓａｍｐｌｉｎｇ＿ｉｎｆｏ（）に定義された方法を用いてガマットリサンプリングを行うことができる。０００１である場合（ｇａｍｕｔ  ｒｅ−ｓａｍｐｌｉｎｇ  ｆｕｎｃｔｉｏｎｓ）、受信機は、ガマットリサンプリングを２段階（ＲＧＢ  ｔｏ  ＸＹＺ及びＸＹＺ  ｔｏ  ＲＧＢ）に区別し、各段階に対するマッピング関数を用いてガマットリサンプリングを行うことができる。この時、ＸＹＺを表現する色空間が指定されてもよい。
【０１２８】
ｇａｍｕｔ＿ｒｅｓａｍｐｌｉｎｇ＿ｔｙｐｅが００１０である場合（ｓｉｎｇｌｅ  ｆｕｎｃｔｉｏｎ  ｃｏｎｖｅｒｓｉｏｎ）、受信機は、全過程に対して任意のマトリクスで表現して伝達できる方法を用いて ガマットリサンプリングを行うことができる。本発明の一実施例によれば、この場合、受信機は、現在カラーガマットに基づくＲＧＢ値を、中途にＸＹＺへと変換することなく、新しいカラーガマットに基づくＲ’Ｇ
’Ｂ’値に直ちにガマットリサンプリングすることができる。
【０１２９】
ｇａｍｕｔ＿ｒｅｓａｍｐｌｉｎｇ＿ｔｙｐｅが００１１である場合（Ｌｏｏｋ  Ｕｐ  Ｔａｂｌｅ）、受信機は、伝達されたＬＵＴ（Ｌｏｏｋ  Ｕｐ  Ｔａｂｌｅ）を用いてガマットリサンプリングを行うことができる。
【０１３０】
本発明の一実施例によれば、ｇａｍｕｔ＿ｒｅｓａｍｐｌｉｎｇ＿ｔｙｐｅが００１０又は００１１ではなく０００１値を有する場合、ＲＧＢからＸＹＺへの変換式及びＸＹＺからＲＧＢへの変換式がそれぞれ与えられるが、このように別の過程でそれぞれの変換式を詳しく伝達することによって、受信機は、各段階に適切な画像補正（ｉｍａｇｅ  ｅｎｈａｎｃｅｍｅｎｔ）を追加することができ、これによって、一層向上した画質の映像を取得することができる。
【０１３１】
図１３は、本発明の一実施例に係るｃｏｌｏｒ＿ｓｐａｃｅ＿ｔｙｐｅの構成を示す図である。
【０１３２】
本発明の一実施例に係るｃｏｌｏｒ＿ｓｐａｃｅ＿ｔｙｐｅフィールドは、本発明の一実施例に係るｇａｍｕｔ＿ｒｅｓａｍｐｌｉｎｇ＿ｉｎｆｏ（）に含めることができる。
【０１３３】
本発明の一実施例に係るｃｏｌｏｒ＿ｓｐａｃｅ＿ｔｙｐｅが００００であれば、本発明の一実施例に係るガマットリサンプリング時にＣＩＥ  １９３１色空間が用いられることを示すことができる。
【０１３４】
ｃｏｌｏｒ＿ｓｐａｃｅ＿ｔｙｐｅが０００１であれば、本発明の一実施例に係るガマットリサンプリング時にＣＩＥ  Ｌａｂ色空間が用いられることを示すことができる。
【０１３５】
ｃｏｌｏｒ＿ｓｐａｃｅ＿ｔｙｐｅが００１０であれば、本発明の一実施例に係るガマットリサンプリング時にＣＩＥ  Ｌｕｖ色空間が用いられることを示すことができる。
【０１３６】
図１４は、本発明の一実施例に係るガマットリサンプリング過程で、現在カラーガマットを基準にＲＧＢで表現された値をＸＹＺに変換するマッピング関数（ｍａｐｐｉｎｇ  ｆｕｎｃｔｉｏｎ）による変換式を示す図である。
【０１３７】
本発明の一実施例は、同図に示すマトリクス変換式を用いて、現在カラーガマットを基準にＲＧＢで表現された値をＸＹＺに変換することができる。
【０１３８】
図１５は、本発明の一実施例に係るガマットリサンプリング過程で、ＸＹＺで表現された色相を目標カラーガマットを基準に表現されたＲＧＢ値に変換するマッピング関数による変換式を示す図である。
【０１３９】
本発明の一実施例は、同図に示すマトリクス変換式を用いて、ＸＹＺで表現された色相を目標カラーガマットを基準に表現されたＲＧＢ値に変換することができる。
【０１４０】
図１６は、本発明の一実施例に係るガマットリサンプリング過程で、単一変換式に基づいて、現在カラーガマットを基準にＲＧＢで表現された値を目標カラーガマットを基準に表現されたＲ’Ｇ’Ｂ’値に変換するマッピング関数による変換式を示す図である
。
【０１４１】
本発明の一実施例は、同図に示すマトリクス変換式を用いて、現在カラーガマットを基準にＲＧＢで表現された値を目標カラーガマットを基準に表現されたＲ’Ｇ’Ｂ’値
に変換することができる。
【０１４２】
図１７は、本発明の一実施例に係るＬＵＴ＿ｔｙｐｅの構成を示す図である。
【０１４３】
本発明の一実施例によれば、全色相に対して入力値と出力値をマッチさせるＬＵＴの場合にはデータサイズが極めて大きいため、これをメタデータの形態で伝達することは容易でない。したがって、本発明の一実施例によれば、色相の３Ｄ座標を全て利用するのではなく、各チャネルに独立してマッチさせる方法又は基準点に基づいてＬＵＴ構成要素を推定する方法を用いることができる。
【０１４４】
本発明の一実施例に係るＬＵＴ＿ｔｙｐｅが００００であれば、各チャネルに独立してマッチングをするタイプのＬＵＴが用いられることを示すことができ、０００１であれば、３Ｄ座標を全て利用するタイプのＬＵＴが用いられることを示すことができ、００１０であれば、基準点に基づいてＬＵＴ構成要素を推定するタイプのＬＵＴが用いられることを示すことができる。
【０１４５】
図１８は、本発明の一実施例に係るＰＭＴ（Ｐｒｏｇｒａｍ  Ｍａｐ  Ｔａｂｌｅ）の構成を示す図である。
【０１４６】
本発明の一実施例によれば、前述したｇａｍｕｔ＿ｒｅｓａｍｐｌｉｎｇ＿ｉｎｆｏ（ｐａｙｌｏａｄｓｉｚｅ）を用いたＵＨＤサービスのために、ＳＥＩメッセージでメタデータを伝送する及び／又はＰＭＴでＵＨＤサービスに対するシグナリングをする必要がある。さらに、後述するが、本発明の一実施例は、ＥＩＴ（Ｅｖｅｎｔ  Ｉｎｆｏｒｍａｔｉｏｎ  Ｔａｂｌｅ）を用いてサービスレベルでＵＨＤサービス及び／又はｇａｍｕｔ＿ｒｅｓａｍｐｌｉｎｇ＿ｉｎｆｏ（ｐａｙｌｏａｄｓｉｚｅ）をシグナルすることができる。
【０１４７】
本発明の一実施例に係るＰＭＴは、ｔａｂｌｅ＿ｉｄフィールド、ｓｅｃｔｉｏｎ＿ｓｙｎｔａｘ＿ｉｎｄｉｃａｔｏｒフィールド、ｓｅｃｔｉｏｎ＿ｌｅｎｇｔｈフィールド、ｐｒｏｇｒａｍ＿ｎｕｍｂｅｒフィールド、ｖｅｒｓｉｏｎ＿ｎｕｍｂｅｒフィールド、ｃｕｒｒｅｎｔ＿ｎｅｘｔ＿ｉｎｄｉｃａｔｏｒフィールド、ｓｅｃｔｉｏｎ＿ｎｕｍｂｅｒフィールド、ｌａｓｔ＿ｓｅｃｔｉｏｎ＿ｎｕｍｂｅｒフィールド、ＰＣＲ＿ＰＩＤフィールド、ｐｒｏｇｒａｍ＿ｉｎｆｏ＿ｌｅｎｇｔｈフィールド、ｄｅｓｃｒｉｐｔｏｒ（）、ｓｔｒｅａｍ＿ｔｙｐｅフィールド、ｅｌｅｍｅｎｔａｒｙ＿ＰＩＤフィールド、ＥＳ＿ｉｎｆｏ＿ｌｅｎｇｔｈフィールド、ｄｅｓｃｒｉｐｔｏｒ（）及び／又はＣＲＣ＿３２フィールドを含む。
【０１４８】
ｔａｂｌｅ＿ｉｄフィールドは、テーブルのタイプを識別する。ｔａｂｌｅ＿ｉｄフィールドは、当該テーブルセクションがＰＭＴを構成するセクションであることを示す役割を担うことができる。
【０１４９】
ｓｅｃｔｉｏｎ＿ｓｙｎｔａｘ＿ｉｎｄｉｃａｔｏｒフィールドは、当該フィールドに続くテーブルセクションのフォーマットを示す。当該フィールドの値が０であれば、当該テーブルセクションはｓｈｏｒｔフォーマットであることを示す。当該フィールドの値が１であれば、当該テーブルセクションは一般的なｌｏｎｇフォーマットに従う。
【０１５０】
ｓｅｃｔｉｏｎ＿ｌｅｎｇｔｈフィールドは、当該テーブルセクションの長さを示す。ｓｅｃｔｉｏｎ＿ｌｅｎｇｔｈフィールドは、当該フィールド以降から当該テーブルセクションの終わりまでの長さを示すため、当該テーブルセクションの実際の長さは、ｓｅｒｃｉｏｎ＿ｌｅｎｇｔｈフィールドが示す値に３バイトを足した値になり得る。
【０１５１】
ｐｒｏｇｒａｍ＿ｎｕｍｂｅｒフィールドは、トランスポートストリーム内に存在する各プログラムサービス又は仮想チャネル（ｖｉｒｔｕａｌ  ｃｈａｎｎｅｌ）を識別する。
【０１５２】
ｖｅｒｓｉｏｎ＿ｎｕｍｂｅｒフィールドは、プライベートテーブルセクション（ｐｒｉｖａｔｅ  ｔａｂｌｅ  ｓｅｃｔｉｏｎ）のバージョンナンバーを示す。受信機は、当該フィールド及び後述するｃｕｒｒｅｎｔ＿ｎｅｘｔ＿ｉｎｄｉｃａｔｏｒフィールドを用いて、メモリに保存されているテーブルセクションのうち、最も最近のものを見いだすことができる。
【０１５３】
ｃｕｒｒｅｎｔ＿ｎｅｘｔ＿ｉｎｄｉｃａｔｏｒフィールドが示す値が１であれば、現在伝送されるテーブルが有効であることを示し、０であれば、現在伝送されるテーブルが現在は有効でないが、将来に有効であることを示す。
【０１５４】
ｓｅｃｔｉｏｎ＿ｎｕｍｂｅｒフィールドは、当該セクションが当該テーブルの何番目のセクションであるかを示す。
【０１５５】
ｌａｓｔ＿ｓｅｃｔｉｏｎ＿ｎｕｍｂｅｒフィールドは、当該テーブルを構成しているセクションのうち、最後のセクションの番号を示す。
【０１５６】
ＰＣＲ＿ＰＩＤフィールドは、プログラムサービスのためのＰＣＲ（Ｐｒｏｇｒａｍ  Ｃｌｏｃｋ  Ｒｅｆｅｒｅｎｃｅ）が存在するパケットＩＤ（ｐａｃｋｅｔ  ＩＤ）を示す。
【０１５７】
ｐｒｏｇｒａｍ＿ｉｎｆｏ＿ｌｅｎｇｔｈフィールドは、後続するプログラム情報（ｐｒｏｇｒａｍ＿ｉｎｆｏ）を示すデスクリプタの長さを示す。
【０１５８】
ｄｅｓｃｒｉｐｔｏｒ（）は、当該テーブルセクションに該当するプログラムに関する情報を示すデスクリプタを意味する。本発明の一実施例によれば、このデスクリプタは、ＵＨＤサービスの種類を識別するＵＨＤ＿ｐｒｏｇｒａｍ＿ｉｎｆｏ＿ｄｅｓｃｒｉｐｔｏｒ（）を含むことができる。
【０１５９】
ｓｔｒｅａｍ＿ｔｙｐｅフィールドは、当該テーブルが説明しているプログラムを構成する各単位ストリームの種類を示す。
【０１６０】
ｅｌｅｍｅｎｔａｒｙ＿ＰＩＤフィールドは、当該テーブルが説明しているプログラムを構成する各単位ストリームのパケットＩＤ（ｐａｃｋｅｔ  ＩＤ）を示す。
【０１６１】
ＥＳ＿ｉｎｆｏ＿ｌｅｎｇｔｈフィールドは、後続する各単位ストリームに関する情報（ＥＳ＿ｉｎｆｏ）を示すデスクリプタの長さを示す。
【０１６２】
ｄｅｓｃｒｉｐｔｏｒ（）は、当該テーブルが説明しているプログラムを構成する単位ストリームのうち、一つの単位ストリームに関する情報を示すデスクリプタを意味する。本発明の一実施例によれば、このデスクリプタは、前述したｇａｍｕｔ＿ｒｅｓａｍｐｌｉｎｇ＿ｉｎｆｏ（ｐａｙｌｏａｄｓｉｚｅ）を含むデスクリプタ及び／又は前述したｇａｍｕｔ＿ｒｅｓａｍｐｌｉｎｇ＿ｉｎｆｏ（）を含むデスクリプタを含むことができる。
【０１６３】
ＣＲＣ＿３２フィールドは、当該テーブルセクションに含まれたデータに誤りがあるかを確認するために用いられるＣＲＣ値を示す。
【０１６４】
本発明の一実施例に係るＰＭＴを、ＭＰＥＧ−ＴＳを介して帯域内（Ｉｎ  ｂａｎｄ）伝送することができ、ＰＭＴを含むＰＳＩ情報全体を、ｘｍｌ形態でＩＰを介して伝送することができる。
【０１６５】
図１９は、本発明の一実施例に係るＵＨＤ＿ｐｒｏｇｒａｍ＿ｉｎｆｏ＿ｄｅｓｃｒｉｐｔｏｒ（）の構成を示す図である。
【０１６６】
本発明の一実施例に係るＵＨＤ＿ｐｒｏｇｒａｍ＿ｉｎｆｏ＿ｄｅｓｃｒｉｐｔｏｒ（）は、ｄｅｓｃｒｉｐｔｏｒ＿ｔａｇフィールド、ｄｅｓｃｒｉｐｔｏｒ＿ｌｅｎｇｔｈフィールド及び／又はＵＨＤ＿ｓｅｒｖｉｃｅ＿ｔｙｐｅフィールドを含むことができる。
【０１６７】
ｄｅｓｃｒｉｐｔｏｒ＿ｔａｇフィールドは、このデスクリプタがＵＨＤサービスのタイプ情報を含むデスクリプタであることを示すことができる。
【０１６８】
ｄｅｓｃｒｉｐｔｏｒ＿ｌｅｎｇｔｈフィールドは、このデスクリプタの長さを示すことができる。
【０１６９】
ＵＨＤ＿ｓｅｒｖｉｃｅ＿ｔｙｐｅフィールドは、ＵＨＤサービスの種類に関する情報を提供することができる。このフィールドが有するフィールド値に関する説明は後述する。
【０１７０】
図２０は、本発明の一実施例に係るＵＨＤ＿ｓｅｒｖｉｃｅ＿ｔｙｐｅの構成を示す図である。
【０１７１】
本発明の一実施例に係るＵＨＤ＿ｓｅｒｖｉｃｅ＿ｔｙｐｅフィールドは、前述したＵＨＤ＿ｐｒｏｇｒａｍ＿ｉｎｆｏ＿ｄｅｓｃｒｉｐｔｏｒ（）に含めることができる。
【０１７２】
本発明の一実施例に係るＵＨＤ＿ｓｅｒｖｉｃｅ＿ｔｙｐｅが００００であれば、提供されるサービスがＵＨＤ１（４Ｋ）サービスであることを示すことができる。
【０１７３】
ＵＨＤ＿ｓｅｒｖｉｃｅ＿ｔｙｐｅが０００１であれば、提供されるサービスがＵＨＤ２（８Ｋ）サービスであることを示すことができる。
【０１７４】
ＵＨＤ＿ｓｅｒｖｉｃｅ＿ｔｙｐｅ１０００乃至１１１１は、ユーザの定義に従って用いることができる。本発明の一実施例によれば、ＵＨＤ＿ｓｅｒｖｉｃｅ＿ｔｙｐｅは、ＵＨＤサービスの品質（ｑｕａｌｉｔｙ）によって区別されたサービスを示すために用いることができる。本発明の一実施例によれば、ＵＨＤ＿ｓｅｒｖｉｃｅ＿ｔｙｐｅが１０１０であれば、ガマットリサンプリングに基づくＵＨＤ１サービスであることを示すことができる。
【０１７５】
図２１は、本発明の一実施例に係るＥＩＴ（Ｅｖｅｎｔ  Ｉｎｆｏｒｍａｔｉｏｎ  Ｔａｂｌｅ）の構成を示す図である。
【０１７６】
本発明の一実施例は、ＥＩＴ（Ｅｖｅｎｔ  Ｉｎｆｏｒｍａｔｉｏｎ  Ｔａｂｌｅ）を用いてサービスレベルでＵＨＤサービス及び／又はｇａｍｕｔ＿ｒｅｓａｍｐｌｉｎｇ＿ｉｎｆｏ（ｐａｙｌｏａｄｓｉｚｅ）をシグナルすることができる。
【０１７７】
本発明の一実施例に係るＥＩＴは、ｔａｂｌｅ＿ｉｄフィールド、ｓｅｃｔｉｏｎ＿ｓｙｎｔａｘ＿ｉｎｄｉｃａｔｏｒフィールド、ｓｅｃｔｉｏｎ＿ｌｅｎｇｔｈフィールド、ｓｅｒｖｉｃｅ＿ｉｄフィールド、ｖｅｒｓｉｏｎ＿ｎｕｍｂｅｒフィールド、ｃｕｒｒｅｎｔ＿ｎｅｘｔ＿ｉｎｄｉｃａｔｏｒフィールド、ｓｅｃｔｉｏｎ＿ｎｕｍｂｅｒフィールド、ｌａｓｔ＿ｓｅｃｔｉｏｎ＿ｎｕｍｂｅｒフィールド、ｔｒａｎｓｐｏｒｔ＿ｓｔｒｅａｍ＿ｉｄフィールド、ｏｒｉｇｉｎａｌ＿ｎｅｔｗｏｒｋ＿ｉｄフィールド、ｓｅｇｍｅｎｔ＿ｌａｓｔ＿ｓｅｃｔｉｏｎ＿ｎｕｍｂｅｒフィールド、ｌａｓｔ＿ｔａｂｌｅ＿ｉｄフィールド、ｅｖｅｎｔ＿ｉｄフィールド、ｓｔａｒｔ＿ｔｉｍｅフィールド、ｄｕｒａｔｉｏｎフィールド、ｒｕｎｎｉｎｇ＿ｓｔａｔｕｓフィールド、ｆｒｅｅ＿ＣＡ＿ｍｏｄｅフィールド、ｄｅｓｃｒｉｐｔｏｒｓ＿ｌｏｏｐ＿ｌｅｎｇｔｈフィールド、ｄｅｓｃｒｉｐｔｏｒ（）及び／又はＣＲＣ＿３２フィールドを含む。
【０１７８】
ｔａｂｌｅ＿ｉｄフィールドは、テーブルのタイプを識別する。ｔａｂｌｅ＿ｉｄフィールドは、当該テーブルセクションがＥＩＴを構成するセクションであることを示す役割を担うことができる。
【０１７９】
ｓｅｃｔｉｏｎ＿ｓｙｎｔａｘ＿ｉｎｄｉｃａｔｏｒフィールドは、当該フィールドに続くテーブルセクションのフォーマットを示す。当該フィールドの値が０であれば、当該テーブルセクションはｓｈｏｒｔフォーマットであることを示す。当該フィールドの値が１であれば、当該テーブルセクションは一般的なｌｏｎｇフォーマットに従う。
【０１８０】
ｓｅｃｔｉｏｎ＿ｌｅｎｇｔｈフィールドは、当該テーブルセクションの長さを示す。ｓｅｃｔｉｏｎ＿ｌｅｎｇｔｈフィールドは、当該フィールドの以降から当該テーブルセクションの終わりまでの長さを示すことができる。
【０１８１】
ｓｅｒｖｉｃｅ＿ｉｄフィールドは、トランスポートストリーム内に存在する各サービスを識別する。ｓｅｒｖｉｃｅ＿ｉｄフィールドは、ＰＭＴでｐｒｏｇｒａｍ＿ｎｕｍｂｅｒフィールドとその機能が同一であってもよい。
【０１８２】
ｖｅｒｓｉｏｎ＿ｎｕｍｂｅｒフィールドは、プライベートテーブルセクション（ｐｒｉｖａｔｅ  ｔａｂｌｅ  ｓｅｃｔｉｏｎ）のバージョンナンバーを示す。受信機は、当該フィールドと後述するｃｕｒｒｅｎｔ＿ｎｅｘｔ＿ｉｎｄｉｃａｔｏｒフィールドを用いて、メモリに保存されているテーブルセクションのうち最も最近のものを見いだすことができる。
【０１８３】
ｃｕｒｒｅｎｔ＿ｎｅｘｔ＿ｉｎｄｉｃａｔｏｒフィールドが示す値が１であれば、現在伝送されるテーブルが有効であることを示し、０であれば、現在伝送されるテーブルが現在は有効でないが、将来に有効であることを示す。
【０１８４】
ｓｅｃｔｉｏｎ＿ｎｕｍｂｅｒフィールドは、当該セクションが当該テーブルの何番目のセクションであるかを示す。
【０１８５】
ｌａｓｔ＿ｓｅｃｔｉｏｎ＿ｎｕｍｂｅｒフィールドは、当該テーブルを構成しているセクションのうち、最後のセクションの番号を示す。
【０１８６】
ｔｒａｎｓｐｏｒｔ＿ｓｔｒｅａｍ＿ｉｄフィールドは、当該テーブルで説明しようとするトランスポートストリーム（ＴＳ）を識別する。
【０１８７】
ｏｒｉｇｉｎａｌ＿ｎｅｔｗｏｒｋ＿ｉｄフィールドは、当該テーブルで記述するサービス又はイベントを送信した最初の放送局を識別することができる。
【０１８８】
ｓｅｇｍｅｎｔ＿ｌａｓｔ＿ｓｅｃｔｉｏｎ＿ｎｕｍｂｅｒフィールドは、ｓｕｂ  ｔａｂｌｅが存在する場合、該当のセグメントの最後のセクションナンバーを示す。ｓｕｂ  ｔａｂｌｅに分けられない場合、当該フィールドが示す値は、ｌａｓｔ＿ｓｅｃｔｉｏｎ＿ｎｕｍｂｅｒフィールドが示す値と同じ値を示すことができる。
【０１８９】
ｌａｓｔ＿ｔａｂｌｅ＿ｉｄフィールドは、用いられた最後のｔａｂｌｅ＿ｉｄを示す。
【０１９０】
ｅｖｅｎｔ＿ｉｄフィールドは、それぞれのイベントを識別し、一つのサービス内で唯一の値を有する。
【０１９１】
ｓｔａｒｔ＿ｔｉｍｅフィールドは、該当のイベントの開始時間を示す。
【０１９２】
ｄｕｒａｔｉｏｎフィールドは、該当のイベントの持続時間を示す。例えば、１時間４５分３０秒間持続するプログラムであれば、ｄｕｒａｔｉｏｎフィールドは、０ｘ０１４５３０値を示すことができる。
【０１９３】
ｒｕｎｎｉｎｇ＿ｓｔａｔｕｓフィールドは、該当のイベントの状態を示す。
【０１９４】
ｆｒｅｅ＿ＣＡ＿ｍｏｄｅフィールドが示す値が０であれば、サービスを構成するコンポーネントストリームがスクランブルされていないことを示し、１であれば、一つ以上のストリームに対する接近がＣＡシステムによって調節されることを示す。ＣＡシステムは、Ｃｏｎｄｉｔｉｏｎａｌ  Ａｃｃｅｓｓ  Ｓｙｓｔｅｍの略語であり、放送の視聴が契約者に限られるように、放送コンテンツの暗号化機能、及び契約者だけが暗号を解いて放送コンテンツを視聴できる機能を提供するシステムを意味する。
【０１９５】
ｄｅｓｃｒｉｐｔｏｒｓ＿ｌｏｏｐ＿ｌｅｎｇｔｈフィールドは、当該フィールドに続くデスクリプタの長さを合算した値を示す。
【０１９６】
ｄｅｓｃｒｉｐｔｏｒ（）は、各イベントに対して記述するデスクリプタを意味する。本発明の一実施例によれば、このデスクリプタは、ＵＨＤサービスの種類を示すＵＨＤ＿ｐｒｏｇｒａｍ＿ｉｎｆｏ＿ｄｅｓｃｒｉｐｔｏｒ（）及び／又はｇａｍｕｔ＿ｒｅｓａｍｐｌｉｎｇ＿ｉｎｆｏ（ｐａｙｌｏａｄｓｉｚｅ）を含むデスクリプタを含むことができる。ここで、上述したｇａｍｕｔ＿ｒｅｓａｍｐｌｉｎｇ＿ｉｎｆｏ（ｐａｙｌｏａｄｓｉｚｅ）を含むデスクリプタから、本発明の一実施例はイベントレベルでカラーガマットの変換のためのメタデータを含むか否かを確認することができ、受信機で該当のカラーガマットに基づくコンテンツを収容可能か否かを判断することができる。本発明の一実施例によれば、このデスクリプタに含まれる上述した情報は、ケーブル放送の場合にＡＥＩＴに含まれてもよい。
【０１９７】
ＣＲＣ＿３２フィールドは、当該テーブルセクションに含まれたデータに誤りがあるか否か確認するために用いるＣＲＣ値を示す。
【０１９８】
本発明の一実施例に係るＥＩＴは、ＴＳによってテーブル（ｔａｂｌｅ）の形態で伝送することができ、ｘｍｌ形態でＩＰストリームによって伝送することができる。
【０１９９】
本発明の一実施例は、ＥＩＴのＵＨＤ＿ｐｒｏｇｒａｍ＿ｉｎｆｏ＿ｄｅｓｃｒｉｐｔｏｒ（）に含まれたＵＨＤ＿ｓｅｒｖｉｃｅ＿ｔｙｐｅが１０１０（ガマットリサンプリングに基づくＵＨＤ１（４Ｋ）サービス）であれば、メタデータを用いたガマットリサンプリング可能であることが分かる。
【０２００】
本発明の他の実施例は、ＥＩＴのＵＨＤ＿ｐｒｏｇｒａｍ＿ｉｎｆｏ＿ｄｅｓｃｒｉｐｔｏｒ（）に含まれたＵＨＤ＿ｓｅｒｖｉｃｅ＿ｔｙｐｅが００００（ＵＨＤ１（４Ｋ）サービス）であれば、ｇａｍｕｔ＿ｒｅｓａｍｐｌｉｎｇ＿ｉｎｆｏ（ｐａｙｌｏａｄｓｉｚｅ）を含むデスクリプタの存在有無を確認することによって、メタデータを用いたガマットリサンプリングが可能であることが分かる。
【０２０１】
図２２は、本発明の一実施例に係るｇａｍｕｔ＿ｒｅｓａｍｐｌｉｎｇ＿ｉｎｆｏ＿ｄｅｓｃｒｉｐｔｏｒ（）の構成を示す図である。
【０２０２】
本発明の一実施例によれば、ｇａｍｕｔ＿ｒｅｓａｍｐｌｉｎｇ＿ｉｎｆｏ＿ｄｅｓｃｒｉｐｔｏｒ（）は、前述したｇａｍｕｔ＿ｒｅｓａｍｐｌｉｎｇ＿ｉｎｆｏ（ｐａｙｌｏａｄｓｉｚｅ）を含むデスクリプタと同一であってもよい。
【０２０３】
本発明の一実施例に係るｇａｍｕｔ＿ｒｅｓａｍｐｌｉｎｇ＿ｉｎｆｏ＿ｄｅｓｃｒｉｐｔｏｒ（）は、ｄｅｓｃｒｉｐｔｏｒ＿ｔａｇフィールド、ｄｅｓｃｒｉｐｔｏｒ＿ｌｅｎｇｔｈフィールド及び／又はｇａｍｕｔ＿ｒｅｓａｍｐｌｉｎｇ＿ｍｅｔａｄａｔａ（）を含むことができる。
【０２０４】
ｄｅｓｃｒｉｐｔｏｒ＿ｔａｇフィールドは、このデスクリプタがｇａｍｕｔ＿ｒｅｓａｍｐｌｉｎｇ＿ｍｅｔａｄａｔａ（）を含むデスクリプタであることを示すことができる。
【０２０５】
ｄｅｓｃｒｉｐｔｏｒ＿ｌｅｎｇｔｈフィールドは、このデスクリプタの長さを示すことができる。
【０２０６】
ｇａｍｕｔ＿ｒｅｓａｍｐｌｉｎｇ＿ｍｅｔａｄａｔａ（）は、ガマットリサンプリング関連情報を含み、これに関する説明は後述する。
【０２０７】
本発明の一実施例は、ＥＩＴでｇａｍｕｔ＿ｒｅｓａｍｐｌｉｎｇ＿ｉｎｆｏ＿ｄｅｓｃｒｉｐｔｏｒ（）を用いてガマットリサンプリング関連情報を伝達する場合、コンテナカラーガマット及び／又はコンテンツカラーガマットを伝達することによって、将来時点に伝送されるプログラムに対する受信及び動作についてあらかじめ判断することができる。
【０２０８】
図２３は、本発明の一実施例に係るｇａｍｕｔ＿ｒｅｓａｍｐｌｉｎｇ＿ｍｅｔａｄａｔａ（）の構成を示す図である。
【０２０９】
本発明の一実施例に係るｇａｍｕｔ＿ｒｅｓａｍｐｌｉｎｇ＿ｍｅｔａｄａｔａ（）は、前述したｇａｍｕｔ＿ｒｅｓａｍｐｌｉｎｇ＿ｉｎｆｏ（ｐａｙｌｏａｄｓｉｚｅ）と同一であってもよい。
【０２１０】
本発明の一実施例に係るｇａｍｕｔ＿ｒｅｓａｍｐｌｉｎｇ＿ｍｅｔａｄａｔａ（）は、ｃｏｎｔａｉｎｅｒ＿ｃｏｌｏｒ＿ｇａｍｕｔ＿ｔｙｐｅフィールド、ｃｏｎｔｅｎｔ＿ｃｏｌｏｒ＿ｇａｍｕｔ＿ｔｙｐｅフィールド、ｇｅｎｅｒａｌ＿ｃｏｌｏｒ＿ｐｒｉｍａｒｉｅｓ（）及び／又はｇａｍｕｔ＿ｒｅｓａｍｐｌｉｎｇ＿ｔｙｐｅフィールドを含むことができ、図示してはいないが、ｇａｍｕｔ＿ｒｅｓａｍｐｌｉｎｇ＿ｉｎｆｏ（）をさらに含むことができる。
【０２１１】
本発明の一実施例に係るｇａｍｕｔ＿ｒｅｓａｍｐｌｉｎｇ＿ｍｅｔａｄａｔａ（）が含むフィールドのうち、前述したｇａｍｕｔ＿ｒｅｓａｍｐｌｉｎｇ＿ｉｎｆｏ（ｐａｙｌｏａｄ）が含むフィールドと同じ名称を有するフィールドは、ｇａｍｕｔ＿ｒｅｓａｍｐｌｉｎｇ＿ｉｎｆｏ（ｐａｙｌｏａｄ）に含まれた同じフィールドと同じ意味を有することができる。
【０２１２】
本発明の一実施例に係るｇａｍｕｔ＿ｒｅｓａｍｐｌｉｎｇ＿ｍｅｔａｄａｔａ（）は、ｇａｍｕｔ＿ｒｅｓａｍｐｌｉｎｇ＿ｍｅｔａｄａｔａ（ｐａｙｌｏａｄｓｉｚｅ）と同じ意味を有することができる。
【０２１３】
図２４は、本発明の一実施例に係る送信機の動作を示す図である。
【０２１４】
本発明の一実施例によれば、同図は、狭い色表現範囲（例えば、ＲＥＣ．７０９）ベースのＵＨＤカメラで取得したビデオを、広い色表現範囲（例えば、ＢＴ．２０２０）ベースの色相で表して送信する送信機の動作を示す図である。
【０２１５】
本発明の一実施例に係る送信機の動作は、ＵＨＤカメラ（ＵＨＤ  ｃａｍｅｒａ）過程２４０１０、ガマットリサンプリング（Ｇａｍｕｔ  ｒｅ−ｓａｍｐｌｉｎｇ）過程２４０２０、カラーレンダリング（Ｃｏｌｏｒ  ｒｅｎｄｅｒｉｎｇ）過程２４０３０、カラーエンコーディング（Ｃｏｌｏｒ  ｅｎｃｏｄｉｎｇ）過程２４０４０、メタデータジェネレータ（Ｍｅｔａｄａｔａ  ｇｅｎｅｒａｔｏｒ）過程２４０５０、及び／又はビデオエンコーディング（Ｖｉｄｅｏ  ｅｎｃｏｄｉｎｇ）過程２４０６０を含むことができる。
【０２１６】
ＵＨＤカメラ（ＵＨＤ  ｃａｍｅｒａ）過程２４０１０で、本発明の一実施例は、ＲＥＣ．７０９カラーガマットを有するＵＨＤカメラで撮影したビデオを取得することができる。
【０２１７】
ガマットリサンプリング（Ｇａｍｕｔ  ｒｅ−ｓａｍｐｌｉｎｇ）過程２４０２０で、送信機は、ＲＥＣ．７０９カラーガマットを有するＵＨＤカメラで取得したビデオに対して、このビデオが適用されたＲＥＣ．７０９カラーガマットを、映像補正及び伝送のための色表現範囲であるＢＴ．２０２０カラーガマットに変換することができる。変換されたＢＴ．２０２０カラーガマットは、最終受信端で映像を再生する際に目標とするディスプレイのカラーガマットを意味することができる。本発明の一実施例によれば、この過程で用いられた変換に対する逆変換関連情報は、メタデータの形態で受信端に伝送することができる。上述した逆変換関連情報は、目標とするディスプレイのカラーガマット（ＢＴ．２０２０）を満たさないレガシーディスプレイのために用いることができる。この過程は、本発明の一実施例に係るカラーガマットリサンプリング部で行うことができる。
【０２１８】
カラーレンダリング（Ｃｏｌｏｒ  ｒｅｎｄｅｒｉｎｇ）過程２４０３０で、前の過程でカラーガマットが変換されたコンテンツは、スタジオ／コンテンツプロバイダ／プロダクション（ｓｔｕｄｉｏ／ｃｏｎｔｅｎｔ  ｐｒｏｖｉｄｅｒ／ｐｒｏｄｕｃｔｉｏｎ）端で行う映像補正及び編集過程を経ることができる。この過程は、ガマットリサンプリング過程の後に位置すればよく、この過程で生成されたビデオ関連情報は、カラリストメタデータ（ｃｏｌｏｒｉｓｔ  ｍｅｔａｄａｔａ）（又はｃｏｌｏｒｉｓｔ  ｉｎｆｏｒｍａｔｉｏｎ）で伝送することができる。この過程は、本発明の一実施例に係るカラーガマットリサンプリング部で行うことができる。
【０２１９】
カラエンコーディング（Ｃｏｌｏｒ  ｅｎｃｏｄｉｎｇ）過程２４０４０で、送信機は、カラー映像を伝送するためにＲＧＢをＹＣｂＣｒに変換することができる。このとき、前述したガマットリサンプリングによって変換されたＢＴ．２０２０カラーガマットを基準に変換を行うことができる。本発明の一実施例によれば、この過程でＲＧＢ  ｔｏ  ＹＣｂＣｒ変換情報及び／又はカラーガマット情報をビデオメタデータ（ＶＵＩ）で伝送することができる。上述した情報は、同図に示す色符号化情報（ｃｏｌｏｒ  ｅｎｃｏｄｉｎｇ  ｉｎｆｏｒｍａｔｉｏｎ）に含まれてもよい。この過程は、本発明の一実施例に係るエンコーダで行うことができる。
【０２２０】
メタデータジェネレータ（Ｍｅｔａｄａｔａ  ｇｅｎｅｒａｔｏｒ）過程２４０５０では、ガマットリサンプリング（Ｇａｍｕｔ  ｒｅ−ｓａｍｐｌｉｎｇ）過程２４０２０で生成されたガマットリサンプリングに用いられた変換に対する逆変換情報（ｇａｍｕｔ  ｒｅ−ｓａｍｐｌｉｎｇ  ｆｕｎｃｔｉｏｎ）、カラーレンダリング（Ｃｏｌｏｒ  ｒｅｎｄｅｒｉｎｇ）過程２４０３０で生成されたカラリスト情報（ｃｏｌｏｒｉｓｔ  ｉｎｆｏｒｍａｔｉｏｎ）、及び／又はカラーエンコーディング（Ｃｏｌｏｒ  ｅｎｃｏｄｉｎｇ）過程２４０４０で生成されたＲＧＢ  ｔｏ  ＹＣｂＣｒ変換情報及び／又はカラーガマット情報を含む色符号化情報（ｃｏｌｏｒ  ｅｎｃｏｄｉｎｇ  ｉｎｆｏｒｍａｔｉｏｎ）を含むメタデータを生成することができる。本発明の一実施例によれば、この過程によってガマットリサンプリングメタデータ、ＶＵＩなどを生成することができる。この過程は、本発明の一実施例に係るシグナリング情報生成部で行うことができる。
【０２２１】
ビデオエンコーディング（Ｖｉｄｅｏ  ｅｎｃｏｄｉｎｇ）過程２４０６０で、送信機は、ＵＨＤ映像の伝送のために、ビデオコーデックを用いて圧縮を行うことができる。本発明の一実施例によれば、ガマットリサンプリングメタデータ、ＶＵＩなどを含む映像画質関連メタデータがビデオソースに含まれてもよい。この過程は、本発明の一実施例に係るエンコーダで行うことができる。
【０２２２】
上述したＲＥＣ．７０９及びＢＴ．２０２０は本発明の一実施例であり、他の標準の他のカラーガマットが用いられてもよい。
【０２２３】
図２５は、本発明の一実施例に係る受信機の構造及び動作を示す図である。
【０２２４】
本発明の一実施例によってＷＣＧビデオが伝送される場合、受信機が信号を分析し、ガマットリサンプリングを用いて映像を出力する全過程は、次のとおりである。
【０２２５】
本発明の一実施例に係る受信機は、受信されたＰＭＴのＵＨＤ＿ｐｒｏｇｒａｍ＿ｉｎｆｏ＿ｄｅｓｃｒｉｐｔｏｒを用いて、原本ＵＨＤＴＶ放送を構成するためにさらに受け取るべき別途のサービス又はメディアがあるか把握することができる。受信機は、ＵＨＤ＿ｐｒｏｇｒａｍ＿ｉｎｆｏ＿ｄｅｓｃｒｉｐｔｏｒに含まれたＵＨＤ＿ｓｅｒｖｉｃｅ＿ｔｙｐｅが１０１０である場合、ＳＥＩメッセージで伝達される追加情報があることを把握することができる。又は、受信機は、ＵＨＤ＿ｐｒｏｇｒａｍ＿ｉｎｆｏ＿ｄｅｓｃｒｉｐｔｏｒに含まれたＵＨＤ＿ｓｅｒｖｉｃｅ＿ｔｙｐｅが００００又は０００１である場合、ＥＩＴで伝達される追加情報があることを把握することができる。
【０２２６】
本発明の一実施例は、ＶＵＩに含まれたカラーガマット情報に基づいてカラーガマットを判断することができるが、ＶＵＩに含まれたカラーガマットが受信機のディスプレイで表現可能であると判断される場合、受信機は、ビデオ後処理過程を経た後、最終的にコンテンツをディスプレイすることができる。一方、ＶＵＩに含まれたカラーガマット情報がディスプレイで表現できる色表現範囲を超える場合、本発明の一実施例は、ＳＥＩメッセージ又はＥＩＴなどで伝送される追加情報を用いて、実際コンテンツが表現するカラーガマットを把握し、これに基づいてディスプレイに適するようにカラーガマットを変換することができる。
【０２２７】
本発明の一実施例は、ｇａｍｕｔ＿ｒｅｓａｍｐｌｉｎｇ＿ｉｎｆｏ（ｐａｙｌｏａｄｓｉｚｅ）を含むＳＥＩメッセージ又はＥＩＴのｇａｍｕｔ＿ｒｅｓａｍｐｌｉｎｇ＿ｉｎｆｏ＿ｄｅｓｃｒｉｐｔｏｒで実際コンテンツのカラーガマット情報、色符号化時のカラーガマット情報（コンテナカラーガマット情報）及び／又はガマットリサンプリング情報を受信することができる。
【０２２８】
本発明の一実施例は、コンテンツのカラーガマットがディスプレイで表現するに適した範囲であると判断される場合、及び／又はｇａｍｕｔ＿ｒｅｓａｍｐｌｉｎｇ＿ｔｙｐｅが示すガマットリサンプリング方式が受信機で処理可能であると判断される場合、ガマットリサンプリングを行うことができる。この時、本発明の一実施例は、ｇａｍｕｔ＿ｒｅｓａｍｐｌｉｎｇ＿ｔｙｐｅによってｃｏｎｔａｉｎｅｒ＿ｃｏｌｏｒ＿ｇａｍｕｔ＿ｔｙｐｅからｃｏｎｔｅｎｔ＿ｃｏｌｏｒ＿ｇａｍｕｔ＿ｔｙｐｅに変換する指定された関数を受信機で直接処理するようにしたり、製作者が直接送信した関数の係数を用いてカラーガマットを変換することができる。なお、本発明の一実施例によれば、必要な場合、受信機は、ガマットリサンプリング過程中に色感向上のためのカラ強化（ｃｏｌｏｒ  ｅｎｈａｎｃｅｍｅｎｔ）処理を行うことができる。本発明の一実施例は、ｃｏｎｔｅｎｔ＿ｃｏｌｏｒ＿ｇａｍｕｔ＿ｔｙｐｅがディスプレイのカラーガマットに比べて広い領域を有すると判断される場合、受信されるコンテンツをＷＣＧコンテンツと判断することができ、ＷＣＨコンテンツにガマットリサンプリングを適用してクリッピングと同じ効果を得ることができる。又は、本発明の一実施例は、ＷＣＧコンテンツをレガシーディスプレイで適切に表現するための別の作業を行うことができる。
【０２２９】
本発明の一実施例によれば、受信機は、カラーガマットが変換されたコンテンツ映像の各ピクセル値に対してビット深度量子化過程を行うことができる。本発明の一実施例に係るビット深度量子化は、受信機のディスプレイのビット深度内でコンテンツを適切に表現するために行うことができる。また、ビット深度量子化過程は、ビデオ後処理過程であるトーンマッピング（ｔｏｎｅ  ｍａｐｐｉｎｇ）及び／又は伝達曲線（ｔｒａｎｓｆｅｒ  ｃｕｒｖｅ）と関連付いて動作することができる。
【０２３０】
本発明の一実施例によれば、受信機は、コンテンツを最終的にディスプレイする前にビデオ後処理過程（ｖｉｄｅｏ  ｐｏｓｔ  ｐｒｏｃｅｓｓｉｎｇ）を行い、一層向上した色感又は明るさを有する映像を出力することができる。本発明の一実施例によれば、このとき、ＳＥＩメッセージに含まれたｃｏｎｔｅｎｔ＿ｃｏｌｏｒ＿ｇａｍｕｔ＿ｔｙｐｅ又はＲＧＢＷの原色値を用いることができる。
【０２３１】
本発明の一実施例に係る受信機は、チューナ及び復調器（ｔｕｎｅｒ  ａｎｄ  ｄｅｍｏｄｕｌａｔｏｒ）２５０１０、ＶＳＢデコーダ（ＶＳＢ  ｄｅｃｏｄｅｒ）２５０２０、デマチルプレクサ（ｄｅｍｕｘ）２５０３０、セクションデータプロセッサ（ｓｅｃｔｉｏｎ  ｄａｔａ  ｐｒｏｃｅｓｓｏｒ）２５０４０、デコーダ（ｄｅｃｏｄｅｒ）２５０５０、ガマットマッチングユニット（ｇａｍｕｔ  ｍａｔｃｈｉｎｇ  ｕｎｉｔ）２５０６０、及び／又はガマットマッピングユニット（ｇａｍｕｔ  ｍａｐｐｉｎｇ  ｕｎｉｔ）２５０７０を含むことができる。
【０２３２】
チューナ及び復調器２５０１０は、送信側から放送信号を受信して復調することができる。本発明の一実施例によれば、ＵＨＤビデオ又はガマットリサンプリングに基づくＵＨＤビデオが放送信号に含まれてもよい。
【０２３３】
ＶＳＢデコーダ２５０２０、ＶＳＢ変調された放送信号をデコードすることができる。
【０２３４】
デマルチプレクサ２５０３０は、多重化された放送信号に含まれたビデオデータ、オーディオデータ及びシグナリングデータを抽出することができる。
【０２３５】
セクションデータプロセッサ２５０４０、デマルチプレクサ２５０３０で抽出されたセクションデータをパース及び／又は処理することができる。本発明の一実施例によれば、上述したセクションデータは、ＰＭＴ（ｐｒｏｇｒａｍ  ｍａｐ  ｔａｂｌｅ）、ＶＣＴ（ｖｉｒｔｕａｌ  ｃｈａｎｎｅｌ  ｔａｂｌｅ）、ＥＩＴ（ｅｖｅｎｔ  ｉｎｆｏｒｍａｔｉｏｎ  ｔａｂｌｅ）、ＳＤＴ（ｓｅｒｖｉｃｅ  ｄｅｓｃｒｉｐｔｉｏｎ  ｔａｂｌｅ）などを含むことができる。
【０２３６】
デコーダ２５０５０は、デマルチプレクサ２５０３０で抽出されたビデオ又はオーディオデータをデコードすることができる。
【０２３７】
ガマットマッチングユニット２５０６０は、ＶＵＩ又はＳＥＩメッセージで伝達されたコンテナのカラーガマットを、ディスプレイのカラーガマットと比較することができる。このとき、ＶＵＩ内に定義されたｃｏｌｏｕｒ＿ｐｒｉｍａｒｉｅｓを用いたり、又は前述したｃｏｎｔａｉｎｅｒ＿ｃｏｌｏｒ＿ｇａｍｕｔ＿ｔｙｐｅを用いることができる。受信機が伝達されたコンテナのカラーガマットを表現できないと判断される場合、すなわち、受信機のディスプレイがレガシーディスプレイであると判断される場合、受信機は、受信された映像を追加処理過程によって受信機のレガシーディスプレイに適した映像に変換することができる。コンテナカラーガマットがディスプレイで表現可能であると判断される場合、コンテンツはＢＴ．２０２０ベースのＵＨＤビデオ２５０９０に該当し得る。
【０２３８】
ガマットマッピングユニット２５０７０は、ＷＣＧディスプレイを支援するために広い範囲のカラーガマットで表現されたコンテンツを、本来の色表現範囲で再び表すことができる。これに関する詳細な説明は前述した。本発明の一実施例によってカラーガマットが変換されたコンテンツはＲＥＣ．７０９ベースのＵＨＤビデオ２５０８０に該当し得る。
【０２３９】
図２６は、本発明の一実施例に係る放送信号の受信方法を示す図である。
【０２４０】
本発明の一実施例は、次のような手順で放送信号を受信することができる。まず、本発明の一実施例に係る受信機は、第１カラーガマットベースのコンテンツデータ、及び該第１カラーガマットベースのコンテンツデータに対するカラーガマットリサンプリング情報を含むシグナリング情報を受信することができる（Ｓ２６０１０）。本発明の一実施例に係る受信側で用いられる第１カラーガマット及び第２カラーガマットは、送信側で用いられる第１カラーガマット及び第２カラーガマットと異なる意味を有することができる。本発明の一実施例に係る受信側で、第１カラーガマットはコンテナカラーガマットを意味するものであり、コンテンツデータの編集及び／又は伝送フォーマットによるカラーガマットを意味することができ、第２カラーガマットは、本来のコンテンツのカラーガマット又はディスプレイのカラーガマットを意味することができる。一方、本発明の一実施例に係る送信側で用いられる第１カラーガマットは、本来のコンテンツのカラーガマットを意味することができ、第２カラーガマットはコンテナのカラーガマットを意味することができる。したがって、本発明の一実施例に係る受信側で、第１カラーガマットはＢＴ．２０２０カラーガマットを表すことができ、第２カラーガマットはＲＥＣ．７０９カラーガマットを表すことができる。これに関する詳細な説明は、図２、図３、図４、図６、図７、図２５の説明部分で前述した。次に、本発明の一実施例に係る受信機は、受信されたシグナリング情報及び第１カラーガマットベースのコンテンツデータをそれぞれデコードすることができる（Ｓ２６０２０）。これに関する詳細な説明は、図３、図４、図６、図７、図２５の説明部分で前述した。次に、本発明の一実施例に係る受信機は、デコードされたシグナリング情報に基づいて、デコードされた第１カラーガマットベースのコンテンツデータを第２カラーガマットベースのコンテンツデータにリサンプリングして第２カラーガマットベースのディスプレイで出力したり、又はデコードされた第１カラーガマットベースのコンテンツデータを第１カラーガマットベースのディスプレイで出力することができる（Ｓ２６０３０）。本発明の一実施例に係る第２カラーガマットベースのディスプレイは、レガシーディスプレイと命名することができ、ＲＥＣ．７０９カラーガマットベースのディスプレイを表すことができる。本発明の一実施例に係る第２カラーガマットベースのディスプレイは、ＷＣＧを表現できるディスプレイを意味することができ、ＢＴ．２０２０カラーガマットベースのディスプレイを表すことができる。これに関する詳細な説明は、図３、図４、図２５の説明部分で前述した。
【０２４１】
本発明の他の実施例によれば、上述したカラーガマットリサンプリング情報は、第１カラーガマットに関する情報、第２カラーガマットに関する情報、リサンプリングの方式を示すカラーガマットリサンプリングタイプ情報、及び／又はカラーガマットリサンプリングタイプ情報によるカラーガマットリサンプリングタイプの詳細情報を含むことができる。本発明の一実施例によれば、受信側で、第１カラーガマットに関する情報は、ｃｏｎｔａｉｎｅｒ＿ｃｏｌｏｒ＿ｇａｍｕｔ＿ｔｙｐｅ及び／又はｇｅｎｅｒａｌ＿ｃｏｌｏｒ＿ｐｒｉｍａｒｉｅｓ（）を含むことができ、第２カラーガマットに関する情報は、ｃｏｎｔｅｎｔ＿ｃｏｌｏｒ＿ｇａｍｕｔ＿ｔｙｐｅ及び／又はｇｅｎｅｒａｌ＿ｃｏｌｏｒ＿ｐｒｉｍａｒｉｅｓ（）を含むことができる。本発明の一実施例に係るカラーガマットリサンプリングタイプ情報は、ｇａｍｕｔ＿ｒｅｓａｍｐｌｉｎｇ＿ｔｙｐｅを意味することができ、カラーガマットリサンプリングタイプの詳細情報は、ｇａｍｕｔ＿ｒｅｓａｍｐｌｉｎｇ＿ｉｎｆｏ（）を意味することができる。これに関する詳細な説明は、図６乃至図１７の説明部分で前述した。
【０２４２】
本発明の他の実施例によれば、第１カラーガマットに関する情報は、第１カラーガマットのタイプを示す情報、及び／又は第１カラーガマットが既存に定義されたカラーガマットでない場合、第１カラーガマットを定義するための基準色相の色空間上の座標情報を含むことができ、第２カラーガマットに関する情報は、第２カラーガマットのタイプを示す情報、及び／又は第２カラーガマットが既存に定義されたカラーガマットでない場合、第２カラーガマットを定義するための基準色相の色空間上の座標情報を含むことができる。本発明の一実施例に係るカラーガマットは、既存に標準と定義されたカラーガマットに該当してもよく、任意に定義されたカラーガマットに該当してもよい。本発明の一実施例に係る受信側で、別途に第１カラーガマットのタイプを示す情報はｃｏｎｔａｉｎｅｒ＿ｃｏｌｏｒ＿ｇａｍｕｔ＿ｔｙｐｅを意味することができ、第１カラーガマットが既存に定義されたカラーガマットでない場合、第１カラーガマットを定義するための基準色相の色空間上の座標情報は、ｇｅｎｅｒａｌ＿ｃｏｌｏｒ＿ｐｒｉｍａｒｉｅｓ（）に含まれた座標情報を意味することができる。本発明の一実施例に係る受信側で、第２カラーガマットのタイプを示す情報はｃｏｎｔｅｎｔ＿ｃｏｌｏｒ＿ｇａｍｕｔ＿ｔｙｐｅを意味することができ、第２カラーガマットが既存に定義されたカラーガマットでない場合、第２カラーガマットを定義するための基準色相の色空間上の座標情報は、ｇｅｎｅｒａｌ＿ｃｏｌｏｒ＿ｐｒｉｍａｒｉｅｓ（）に含まれた座標情報を意味することができる。これに関する詳細な説明は、図７、図８の説明部分で前述した。
【０２４３】
本発明の他の実施例によれば、カラーガマットリサンプリングタイプ情報によるリサンプリング方式が、第１カラーガマットベースのコンテンツデータを、カラーガマットの影響を受けない中立的な色空間上の値に変換し、変換された中立的な色空間上の値を第２カラーガマットベースのコンテンツデータに変換する方式である場合、カラーガマットリサンプリングタイプの詳細情報は、中立的な色空間のタイプを示す情報、第１カラーガマットベースのコンテンツデータを中立的な色空間上の値に変換するために用いる変換式の係数情報、及び／又は変換された中立的な色空間上の値を第２カラーガマットベースのコンテンツデータに変換するために用いる変換式の係数情報を含むことができる。本発明の一実施例に係る中立的な色空間のタイプを示す情報は、ｃｏｌｏｒ＿ｓｐａｃｅ＿ｔｙｐｅを意味することができ、第１カラーガマットベースのコンテンツデータを中立的な色空間上の値に変換するために用いる変換式の係数情報は、ＲＧＢ＿ＸＹＺ＿ｍａｐｐｉｎｇ＿ｆｕｎｃｔｉｏｎ＿ｃｏｅｆｆ［ｉ］を意味することができ、変換された中立的な色空間上の値を第２カラーガマットベースのコンテンツデータに変換するために用いる変換式の係数情報は、ＸＹＺ＿ｔｏ＿ＲＧＢｐｒｉｍｅ＿ｍａｐｐｉｎｇ＿ｆｕｎｃｔｉｏｎ＿ｃｏｅｆｆ［ｉ］を意味することができる。これに関する詳細な説明は、図７、図９の説明部分で前述した。
【０２４４】
本発明の他の実施例によれば、カラーガマットリサンプリングタイプ情報によるリサンプリング方式が、第１カラーガマットベースのコンテンツデータを第２カラーガマットベースのコンテンツデータに直接変換する方式である場合、カラーガマットリサンプリングタイプの詳細情報は、第１カラーガマットベースのコンテンツデータを第２カラーガマットベースのコンテンツデータに変換するために用いる変換式の係数情報を含むことができ、カラーガマットリサンプリングタイプ情報によるリサンプリング方式が、第１カラーガマットベースのコンテンツデータ及び第２カラーガマットベースのコンテンツデータのマッピング情報を示すルックアップテーブル（ｌｏｏｋ  ｕｐ  ｔａｂｌｅ）を利用する方式である場合、カラーガマットリサンプリングタイプの詳細情報は、ルックアップテーブルのタイプ情報及び該ルックアップテーブルの構成要素情報を含むことができる。本発明の一実施例に係るカラーガマットリサンプリングタイプの詳細情報は、第１カラーガマットベースのコンテンツデータを第２カラーガマットベースのコンテンツデータに変換するために用いる変換式の係数情報はｇａｍｕｔ＿ｒｅｓａｍｐｌｉｎｇ＿ｆｕｎｃｔｉｏｎ＿ｃｏｅｆｆ［ｉ］を意味することができ、ルックアップテーブルのタイプ情報はＬＵＴ＿ｔｙｐｅを意味することができ、ルックアップテーブルの構成要素情報はＬＵＴ＿ｉｎｆｏ（）を意味することができる。これに関する詳細な説明は、図７、図９の説明部分で前述した。
【０２４５】
本発明の他の実施例によれば、シグナリング情報は、ＰＭＴ（Ｐｒｏｇｒａｍ  Ｍａｐ  Ｔａｂｌｅ）、ＥＩＴ（Ｅｖｅｎｔ  Ｉｎｆｏｒｍａｔｉｏｎ  Ｔａｂｌｅ）、ＶＵＩメッセージ（Ｖｉｄｅｏ  Ｕｓｕａｂｉｌｉｔｙ  Ｉｎｆｏｒｍａｔｉｏｎ  ｍｅｓｓａｇｅ）及び／又はＳＥＩメッセージ（Ｓｕｐｐｌｅｍｅｎｔａｌ  Ｅｎｈａｎｃｅｍｅｎｔ  Ｉｎｆｏｒｍａｔｉｏｎ  ｍｅｓｓａｇｅ）を含み、本発明の一実施例に係るＰＭＴ及びＥＩＴのうち少なくとも一つは、伝送される放送信号に含まれた放送サービスがカラーガマットリサンプリングベースの放送サービスであることを識別する情報を含むことができる。これに関する詳細な説明は、図６、図１８、図１９、図２０、図２１の説明部分で前述した。
【０２４６】
本発明の他の実施例によれば、カラーガマットリサンプリング情報は、ＰＭＴ、ＥＩＴ、ＶＵＩメッセージ及びＳＥＩメッセージのうち少なくとも一つに含まれてもよい。これに関する詳細な説明は、図６、図７、図１８、図１９、図２０、図２１、図２２、図２３の説明部分で前述した。
【０２４７】
図２７は、本発明の一実施例に係る放送信号の送信装置の構成を示す図である。
【０２４８】
本発明の一実施例に係る送信装置２７０５０は、カラーガマットリサンプリング部２７０１０、シグナリング情報生成部２７０２０、生成されたシグナリング情報及び第２カラーガマットベースのコンテンツデータをそれぞれエンコードするエンコーダ２７０３０、及び／又はエンコードされたコンテンツデータ及びエンコードされたシグナリング情報を送信する伝送部２７０４０を含むことができる。
【０２４９】
本発明の一実施例に係る送信装置が含む各構成は、対応する前述した本発明の一実施例に係る放送信号の送信方法における各段階の過程を行うことができる。
【０２５０】
カラーガマットリサンプリング部２７０１０は、第１カラーガマットベースのコンテンツデータを第２カラーガマットベースのコンテンツデータにリサンプリングすることができる。これに関する詳細な説明は、図２、図２４の説明部分で前述した。
【０２５１】
シグナリング情報生成部２７０２０は、リサンプリングに関する情報を示すカラーガマットリサンプリング情報を含むシグナリング情報を生成することができる。これに関する詳細な説明は、図６、図７、図８、図１８、図１９、図２１、図２２、図２３の説明部分で前述した。
【０２５２】
エンコーダ２７０３０は、生成されたシグナリング情報及び第２カラーガマットベースのコンテンツデータをそれぞれエンコードすることができる。これに関する詳細な説明は図２４の説明部分で前述した。
【０２５３】
伝送部２７０４０は、エンコードされたコンテンツデータ及びエンコードされたシグナリング情報を伝送することができる。これに関する詳細な説明は、図２４の説明部分で前述した。
【０２５４】
図２８は、本発明の一実施例に係る放送信号の受信装置の構成を示す図である。
【０２５５】
本発明の一実施例に係る受信装置２８０４０は、受信部２８０１０、デコーダ２８０２０、及び／又は出力部２８０３０を含むことができる。
【０２５６】
本発明の一実施例に係る受信装置が含む各構成は、対応する前述した本発明の一実施例に係る放送信号の受信方法における各段階の過程を行うことができる。
【０２５７】
受信部２８０１０は、第１カラーガマットベースのコンテンツデータ、及び該第１カラーガマットベースのコンテンツデータに対するカラーガマットリサンプリング情報を含むシグナリング情報を受信することができる。これに関する詳細な説明は、図２、図３、図４、図６、図７、図２５の説明部分で前述した。本発明の一実施例に係る受信部２８０１０は、前述したチューナ（ｔｕｎｅｒ）、復調器（ｄｅｍｏｄｕｌａｔｏｒ）、ＶＳＢデコーダ（ＶＳＢ  ｄｅｃｏｄｅｒ）、及び／又はデマルチプレクサ（ｄｅｍｕｘ）を含むことができる。
【０２５８】
デコーダ２８０２０は、受信されたシグナリング情報及び第１カラーガマットベースのコンテンツデータをそれぞれデコードすることができる。これに関する詳細な説明は、図３、図４、図６、図７、図２５の説明部分で前述した。本発明の一実施例に係るデコーダ２８０２０は、前述したセクションデータプロセッサ（ｓｅｃｔｉｏｎ  ｄａｔａ  ｐｒｏｃｅｓｓｏｒ）及び／又はデコーダ（ｄｅｃｏｄｅｒ）を含むことができる。
【０２５９】
出力部２８０３０は、デコードされたシグナリング情報に基づいて、デコードされた第１カラーガマットベースのコンテンツデータを第２カラーガマットベースのコンテンツデータにリサンプリングして該第２カラーガマットベースのディスプレイで出力したり、又はデコードされた第１カラーガマットベースのコンテンツデータを第１カラーガマットベースのディスプレイで出力することができる。これに関する詳細な説明は、図３、図４、図２５の説明部分で前述した。本発明の一実施例に係る出力部２８０３０は、前述したガマットマッチングユニット（ｇａｍｕｔ  ｍａｔｃｈｉｎｇ  ｕｎｉｔ）及び／又はガマットマッピングユニット（ｇａｍｕｔ  ｍａｐｐｉｎｇ  ｕｎｉｔ）を含むことができる。
【０２６０】
説明の便宜のために各図を区分して説明したが、各図に示した実施例を併合して新しい実施例を実現するように設計することも可能である。そして、当業者の必要によって、以上説明した実施例を実行するためのプログラムが記録されているコンピュータで読み取り可能な記録媒体を設計することも、本発明の権利範囲に属する。
【０２６１】
本発明に係る装置及び方法は、以上説明した実施例の構成及び方法が限定的に適用されるものではなく、上述した実施例の様々な変形が可能なように、各実施例の全部又は一部を選択的に組み合せて構成することもできる。
【０２６２】
一方、本発明の映像処理方法を、ネットワークデバイスに具備された、プロセッサで読み取り可能な記録媒体に、プロセッサで読み取り可能なコードとして具現することができる。プロセッサで読み取り可能な記録媒体は、プロセッサで読み取り可能なデータが記憶される如何なる種類の記録装置も含む。プロセッサで読み取り可能な記録媒体の例には、ＲＯＭ、ＲＡＭ、ＣＤ−ＲＯＭ、磁気テープ、フロッピーディスク、光データ記憶装置などがあり、また、インターネットを介した伝送などのようなキャリアウェーブの形態で具現されるものも含む。また、プロセッサで読み取り可能な記録媒体は、ネットワークで接続されたコンピュータシステムに分散され、分散方式でプロセッサで読み取り可能なコードが記憶されて実行されてもよい。
【０２６３】
また、以上では、本発明の好適な実施例について図示及び説明したが、本発明は、上述した特定の実施例に限定されず、特許請求の範囲で請求する本発明の要旨から逸脱しない限度で、当該発明の属する技術の分野における通常の知識を有する者にとって様々な変形実施が可能であることは無論である。これらの変形実施も、本発明の技術的思想や展望から個別的に理解してはならない。
【０２６４】
そして、本明細書では物の発明も、方法の発明も共に説明しており、必要によって、両発明の説明を補充的に適用してもよい。
【実施例】
【０２６５】
様々な実施例が、本発明を実施するための形態で説明されている。
【産業上の利用可能性】
【０２６６】
本発明は放送産業全般に利用可能である。
【図１】
0006282357.tif 000002
【図２】
0006282357.tif 000003
【図３】
0006282357.tif 000004
【図４】
0006282357.tif 000005
【図５】
0006282357.tif 000006
【図６】
0006282357.tif 000007
【図７】
0006282357.tif 000008
【図８】
0006282357.tif 000009
【図９】
0006282357.tif 000010
【図１０】
0006282357.tif 000011
【図１１】
0006282357.tif 000012
【図１２】
0006282357.tif 000013
【図１３】
0006282357.tif 000014
【図１４】
0006282357.tif 000015
【図１５】
0006282357.tif 000016
【図１６】
0006282357.tif 000017
【図１７】
0006282357.tif 000018
【図１８】
0006282357.tif 000019
【図１９】
0006282357.tif 000020
【図２０】
0006282357.tif 000021
【図２１】
0006282357.tif 000022
【図２２】
0006282357.tif 000023
【図２３】
0006282357.tif 000024
【図２４】
0006282357.tif 000025
【図２５】
0006282357.tif 000026
【図２６】
0006282357.tif 000027
【図２７】
0006282357.tif 000028
【図２８】
0006282357.tif 000029